(57)【要約】  圧縮機１１、室外熱交換器１３、圧縮機１１と接続された第１冷媒分岐部２１、室外熱交換器１３と接続された第２冷媒分岐部２２及び第３冷媒分岐部２３、分岐配管４０と第２冷媒分岐部２２の間に設けられた第１冷媒流量制御装置２４、一方が三方弁２６ｎを介して第１冷媒分岐部２１及び第３冷媒分岐部２３に接続され、他方が第２冷媒分岐部２２に接続された中間熱交換器２５ｎ、並びに中間熱交換器２５ｎのそれぞれと第２冷媒分岐部２２との間に設けられた第２冷媒流量制御装置２７ｎを有する熱源側冷媒回路Ａと、中間熱交換器２５ｎと接続された室内熱交換器３１ｎを有する利用側冷媒回路Ｂｎとを備え、利用側冷媒回路Ｂｎには水及び不凍液の少なくとも一方が循環する。
2009133640.tif 000002
【特許請求の範囲】
【請求項１】
圧縮機の一端に一端が接続される室外熱交換器、前記圧縮機の他端に接続される第１冷媒分岐部、前記室外熱交換器の他端と分岐配管を介して接続された第２冷媒分岐部及び第３冷媒分岐部、前記第２冷媒分岐部の中を流れる熱源側冷媒の流量を制御する第１冷媒流量制御装置、一方が第１冷媒流路切替装置を介して前記第１冷媒分岐部及び前記第３冷媒分岐部に接続され、他方が前記第２冷媒分岐部に接続された複数の中間熱交換器、並びに該中間熱交換器のそれぞれと前記第２冷媒分岐部との間を流れる前記熱源側冷媒の流量を制御する複数の第２冷媒流量制御装置を有する熱源側冷媒回路と、
前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された室内熱交換器を有する複数の利用側冷媒回路と、
を備え、
前記圧縮機及び前記室外熱交換器は室外ユニットに設けられ、
前記第１冷媒分岐部、前記分岐配管、前記第２冷媒分岐部、前記第３冷媒分岐部、前記第１冷媒流量制御装置、前記中間熱交換器、前記第１冷媒流路切替装置、前記第２冷媒流量制御装置、及び前記循環装置は中継部に設けられ、
前記室内熱交換器は室内ユニットに設けられ、
複数の前記利用側冷媒回路のうち、少なくとも１つの前記利用側冷媒回路には、利用側冷媒として水及び不凍液の少なくとも一方が循環することを特徴とする空気調和装置。
【請求項２】
前記室外ユニットには、
前記圧縮機の吐出側に設けられ、前記熱源側冷媒回路を、前記圧縮機が吐出する前記熱源側冷媒が前記第１冷媒分岐部に流入し、前記室外熱交換器から流出する回路と、前記圧縮機が吐出する前記熱源側冷媒が前記室外熱交換器に流入し、前記第１冷媒分岐部から流出する回路とに切り替える第２冷媒流路切替装置が設けられていることを特徴とする請求項１に記載の空気調和装置。
【請求項３】
前記室外ユニットには、
前記第２冷媒流路切替装置と前記第１冷媒分岐部との間に設けられ、前記第２冷媒流路切替装置の方向にのみ前記熱源側冷媒が流れる第１逆止弁と、前記室外熱交換器と前記分岐配管との間に設けられ、前記分岐配管の方向にのみ前記熱源側冷媒が流れる第２逆止弁と、前記第１逆止弁の流入側と前記第２逆止弁の流入側とを接続する配管に設けられ、前記第２逆止弁の流入側にのみ前記熱源側冷媒が流れる第３逆止弁と、前記第１逆止弁の流出側と前記第２逆止弁の流出側とを接続する配管に設けられ、前記第２逆止弁の流出側にのみ前記熱源側冷媒が流れる第４逆止弁とを備えた第３冷媒流路切替装置が設けられ、
前記中継部には、
前記第１冷媒分岐部と前記第２冷媒分岐部とを接続するバイパス配管と、
該バイパス配管に設けられた第３冷媒流量制御装置と、
が設けられていることを特徴とする請求項２に記載の空気調和装置。
【請求項４】
前記分岐配管に、前記熱源側冷媒を液状冷媒と蒸気状冷媒とに分離する気液分離装置を設け、  
前記液状冷媒は前記第２冷媒分岐部に流入し、
前記蒸気冷媒は前記第３冷媒分岐部に流入することを特徴とする請求項３に記載の空気調和装置。
【請求項５】
前記利用側冷媒回路には、
前記利用側冷媒の流量を制御する第４冷媒流量制御装置が設けられていることを特徴とする請求項１〜請求項４のいずれか一項に記載の空気調和装置。
【請求項６】
前記第４冷媒流量制御装置は、
前記室内熱交換器に流入する前記利用側冷媒の温度、及び前記室内熱交換器から流出する前記利用側冷媒の温度に基づいて、前記利用側冷媒の流量を制御することを特徴とする請求項５に記載の空気調和装置。
【請求項７】
前記第４冷媒流量制御装置は、前記中継部に設けられていることを特徴とする請求項５又は請求項６に記載の空気調和装置。
【請求項８】
前記中継部と前記室内ユニットとは、
前記循環装置と前記室内熱交換器とを接続する配管、及び前記室内熱交換器と前記中間熱交換器とを接続する連結装置によって分離可能となっていることを特徴とする請求項１〜請求項７のいずれか一項に記載の空気調和装置。
【請求項９】
前記熱源側冷媒は、自然冷媒又は地球温暖化係数がフロン冷媒よりも小さい冷媒であることを特徴とする請求項１〜請求項８のいずれか一項に記載の空気調和装置。
【請求項１０】
前記中間熱交換器において、
前記熱源側冷媒は、超臨界状態で凝縮することなく、前記第２冷媒を加熱することを特徴とする請求項１〜請求項９のいずれか一項に記載の空気調和装置。
【請求項１１】
前記利用側冷媒に水及び不凍液の少なくとも一方が用いられた前記室内ユニットはビルの各階に設けられた居住空間に設置され、前記室外ユニット及び前記中継部は前記居住空間の外に設置されることを特徴とする請求項１〜請求項１０のいずれか一項に記載の空気調和装置。
【請求項１２】
前記中継部は、前記ビルの各階に設けられた共用空間に設置されることを特徴とする請求項１１に記載の空気調和装置。
【発明の詳細な説明】
【技術分野】
【０００１】
本発明は空気調和装置に関し、特に、複数台の室内ユニットを備え、冷暖房同時運転が可能な多室形空気調和装置に関する。
【背景技術】
【０００２】
複数台の室内ユニットを備え、冷暖房同時運転が可能な従来の多室形空気調和装置としては、例えば「（１）は圧縮機、（２）は熱源機の冷媒流通方向を切換える４方弁、（３）は熱源機側熱交換器、（４）はアキュムレータで、上記機器（１）〜（３）と接続され、熱源機（Ａ）を構成する。（５）は３台の室内側熱交換器、（６）は熱源機（Ａ）の４方弁（２）と中継機（Ｅ）を接続する第１の接続配管、（６ｂ）、（６ｃ）、（６ｄ）はそれぞれ室内機（Ｂ）、（Ｃ）、（Ｄ）の室内側熱交換器（５）と中継機（Ｅ）を接続し、第１の接続配管（６）に対応する室内機側の第１の接続配管、（７）は熱源機（Ａ）の熱源機側熱交換器（３）と中継機（Ｅ）を接続する第２の接続配管、（７ｂ）、（７ｃ）、（７ｄ）はそれぞれ室内機（Ｂ）、（Ｃ）、（Ｄ）の室内側熱交換器（５）と中継機（Ｅ）を接続し第２の接続配管（７）に対応する室内機側の第２の接続配管、（８）は室内機側の第１の接続配管（６ｂ）、（６ｃ）、（６ｄ）と、第１の接続配管（６）または、第２の接続配管（７）側に切り替え可能に接続する三方切替弁、（９）は室内側熱交換器（５）に近接して接続され熱交換器（５）の出口側の冷房時はスーパーヒート量、暖房時はサブクール量により制御される第１の流量制御装置で、室内機側の第２の接続配管、（７ｂ）、（７ｃ）、（７ｄ）に接続される。（１０）は室内機側の第１の接続配管（６ｂ）、（６ｃ）、（６ｄ）と、第１の接続配管（６）または、第２の接続配管（７）に切り替え可能に接続する三方切替弁（８）よりなる第１の分岐部、（１１）は室内機側の第２の接続配管（７ｂ）、（７ｃ）、（７ｄ）と第２の接続配管（７）よりなる第２の分岐部、（１２）は第２の接続配管（７）の第１の分岐部（１０）と第２の分岐部（１１）を接続する開閉自在な第２の流量装置である。」（例えば特許文献１参照）というものが提案されている。【０００３】
また、例えば「室外ユニット１０内には、冷媒ガスを圧縮するための圧縮機１１、室外熱交換器１２ａ、１２ｂ、１３ａ、１３ｂ、外気を室外熱交換器１２ａ、１２ｂに送風するための送風機（図示せず）、圧縮機１１への液戻りを防止するためのアキュムレータ１４、及び開閉弁１５、１６、１７、１８、１９、２０およびこれらを接続するための配管が内蔵されている。一方、分岐ユニット５０ａには、第１配管中に環状に接続される第３配管８５ａおよび８６ａ中に設けられた中間熱交換器５３ａおよび５４ａ、第３絞り装置５５ａおよび５６ａ、室内ユニット３０ａを中間熱交換器５３ａまたは５４ａのいずれか一方に接続するための三方弁５１ａおよび５２ａが内蔵されている。ここで、中間熱交換器５３ａおよび５４ａの設置位置は、冷房運転時には、室内熱交換器３１ａを蒸発器とした自然循環運転が、暖房運転時には室内熱交換器３１ａを凝縮器とした自然循環運転が成立するように設置される。また、分岐ユニット５０ａは、ガス配管８３ａおよび液配管８４ａを介して室内ユニット３０ａと接続されている。また、高圧配管８１と低圧配管８２の終端は、終端ユニット７０内に内蔵された第１絞り装置７１を介して接続されており、終端ユニット７０内には、圧力検出器７３、第１温度検出器７２が設けられている。また、室内ユニット３０ａ内には、室内熱交換器３１ａ、室内熱交換器３１ａに流れる冷媒の流量を調節する第２絞り装置３２ａ、室内空気を強制的に室内熱交換器３１ａの外表面に送風するための送風機（図示せず）、およびそれらを接続するための配管が内蔵されている。さらに、室内熱交換器３０ａのガス側には第２温度検出器３３ａが、液側には第３温度検出器３４ａが設けられている。室内熱交換器３１ａの一端は、第２絞り装置３２ａを介して液配管８４ａに接続され、他端はガス配管８３ａに接続されている。」（例えば特許文献２参照）というものが提案されている。【０００４】
【特許文献１】特開平２−１１８３７２号公報（第３頁、図１）
【特許文献２】特開２００３−３４３９３６号公報（段落番号００２９〜００３１、図１）
【発明の開示】
【発明が解決しようとする課題】
【０００５】
冷媒の毒性等の人体へ与える影響や可燃性を考慮して、室内等の空間中に漏洩する冷媒の許容濃度が国際規格で決められている。例えば、フロン冷媒の一つであるＲ４１０Ａは０．４４ｋｇ／ｍ3 、ＣＯ2 は０．０７ｋｇ／ｍ3 、プロパンは０．００８ｋｇ／ｍ3 と、室内中に漏洩する冷媒の許容濃度が決められている。【０００６】
特許文献１に記載の従来の多室形空気調和装置では、１つの冷媒回路によって構成されているため、室内等の空間中に冷媒が漏洩した場合、冷媒回路中の全ての冷媒がこの空間中に漏洩してしまう。このような構成の多室形空気調和装置は数十ｋｇ以上の冷媒を使用している場合がある。このため、室内等の空間中に冷媒が漏洩した場合、この空間中の冷媒濃度が上記許容濃度を上回ってしまうかもしれないという課題があった。【０００７】
特許文献２に記載の従来の多室形空気調和装置は、室外ユニット及び分岐ユニットに設けられた熱源側冷媒回路（熱源側冷媒サイクル）と、室内ユニット及び分岐ユニットに設けられた利用側冷媒回路（利用側冷媒サイクル）とに分けられている。このため、室内等の空間中に漏洩する冷媒は、特許文献１に記載の従来の多室形空気調和装置と比べて少ない。しかしながら、室内等の空間中に冷媒が漏洩した場合、依然としてこの空間中の冷媒濃度が上記許容濃度を上回ってしまうかもしれないという課題があった。【０００８】
本発明は上述のような課題を解消するためになされたものであり、冷暖房同時運転が可能で、上記許容濃度が規制されている冷媒が室内等の空間へ漏洩することを防止できる多室形の空気調和装置を得ることを目的とする。
【課題を解決するための手段】
【０００９】
本発明に係る空気調和装置は、圧縮機及び室外熱交換器が設けられた室外ユニット、室内熱交換器が設けられた複数の室内ユニット、及びこれらユニット間に介在する中継部を備え、前記室内ユニットごとに冷房運転又は暖房運転が選択可能な空気調和装置であって、前記圧縮機の一端に一端が接続される前記室外熱交換器、前記圧縮機の他端に接続される第１冷媒分岐部、前記室外熱交換器の他端と分岐配管を介して接続された第２冷媒分岐部及び第３冷媒分岐部、前記第２冷媒分岐部の中を流れる熱源側冷媒の流量を制御する第１冷媒流量制御装置、一方が第１冷媒流路切替装置を介して前記第１分岐部及び前記第３分岐部に接続され、他方が前記第２冷媒分岐部に接続された複数の中間熱交換器、並びに該中間熱交換器のそれぞれと前記第２冷媒分岐部との間を流れる前記熱源側冷媒の流量を制御する複数の第２冷媒流量制御装置を有する熱源側冷媒回路と、前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された前記室内熱交換器を有する複数の利用側冷媒回路と、を備え、前記第１冷媒分岐部、前記分岐配管、前記第２冷媒分岐部、前記第３冷媒分岐部、前記第１冷媒流量制御装置、前記中間熱交換器、前記第１冷媒流路切替装置、前記第２冷媒流量制御装置、及び前記循環装置は前記中継部に設けられ、複数の前記利用側冷媒回路のうち、少なくとも１つの前記利用側冷媒回路には、利用側冷媒として水及び不凍液の少なくとも一方が循環するものである。
【発明の効果】
【００１０】
本発明においては、複数の利用側冷媒回路のうち、少なくとも１つの利用側冷媒回路には、水及び不凍液の少なくとも一方が循環する。このため、例えば人間の存在する空間（居住空間や、人間が往来する空間等）に設置された利用側冷媒回路には、水及び不凍液の少なくとも一方を循環させることによって、上記許容濃度が規制されている冷媒が人間の存在する空間に漏洩することを防止できる。また、本冷媒回路の構成により、複数の室内ユニットは冷暖同時運転が可能となる。
【図面の簡単な説明】
【００１１】
【図１】本発明の実施の形態１における空気調和装置の冷媒回路図である。
【図２】本発明の実施の形態１における空気調和装置の冷房運転モードの冷媒流れを表す冷媒回路図である。
【図３】図２における熱源側冷媒の変遷を表すｐ−ｈ線図である。
【図４】本発明の実施の形態１における空気調和装置の暖房運転モードの冷媒流れを表す冷媒回路図である。
【図５】図４における熱源側冷媒の変遷を表すｐ−ｈ線図である。
【図６】本発明の実施の形態１における空気調和装置の冷房主体運転モードの冷媒流れを表す冷媒回路図である。
【図７】図６における熱源側冷媒の変遷を表すｐ−ｈ線図である。
【図８】本発明の実施の形態１における空気調和装置の暖房主体運転モードの冷媒流れを表す冷媒回路図である。
【図９】図８における熱源側冷媒の変遷を表すｐ−ｈ線図である。
【図１０】本発明の実施の形態２における空気調和装置の冷媒回路図である。
【図１１】本発明の実施の形態２における空気調和装置の冷房運転モードの冷媒流れを表す冷媒回路図である。
【図１２】図１１における熱源側冷媒の変遷を表すｐ−ｈ線図である。
【図１３】本発明の実施の形態２における空気調和装置の暖房運転モードの冷媒流れを表す冷媒回路図である。
【図１４】図１３における熱源側冷媒の変遷を表すｐ−ｈ線図である。
【図１５】本発明の実施の形態２における空気調和装置の冷房主体運転モードの冷媒流れを表す冷媒回路図である。
【図１６】図１５における熱源側冷媒の変遷を表すｐ−ｈ線図である。
【図１７】本発明の実施の形態２における空気調和装置の暖房主体運転モードの冷媒流れを表す冷媒回路図である。
【図１８】図１５における熱源側冷媒の変遷を表すｐ−ｈ線図である。
【図１９】本発明の実施の形態３における空気調和装置の冷媒回路図である。
【図２０】本発明の実施の形態４における空気調和装置の設置概略図である。
【図２１】本発明の実施の形態５における空気調和装置の冷媒回路図である。
【図２２】本発明の実施の形態５における空気調和装置の冷房運転モードの冷媒流れを表す冷媒回路図である。
【図２３】図２２における熱源側冷媒の変遷を表すｐ−ｈ線図である。
【図２４】本発明の実施の形態５における空気調和装置の暖房運転モードの冷媒流れを表す冷媒回路図である。
【図２５】図２４における熱源側冷媒の変遷を表すｐ−ｈ線図である。
【図２６】本発明の実施の形態５における空気調和装置の冷房主体運転モードの冷媒流れを表す冷媒回路図である。
【図２７】図２６における熱源側冷媒の変遷を表すｐ−ｈ線図である。
【図２８】本発明の実施の形態５における空気調和装置の暖房主体運転モードの冷媒流れを表す冷媒回路図である。
【図２９】図２８における熱源側冷媒の変遷を表すｐ−ｈ線図である。
【図３０】本発明の実施の形態６における空気調和装置の冷媒回路図である。
【図３１】本発明の実施の形態６における空気調和装置の冷房運転モードの冷媒流れを表す冷媒回路図である。
【図３２】図３１における熱源側冷媒の変遷を表すｐ−ｈ線図である。
【図３３】本発明の実施の形態６における空気調和装置の暖房運転モードの冷媒流れを表す冷媒回路図である。
【図３４】図３３における熱源側冷媒の変遷を表すｐ−ｈ線図である。
【図３５】本発明の実施の形態６における空気調和装置の冷房主体運転モードの冷媒流れを表す冷媒回路図である。
【図３６】図３５における熱源側冷媒の変遷を表すｐ−ｈ線図である。
【図３７】本発明の実施の形態６における空気調和装置の暖房主体運転モードの冷媒流れを表す冷媒回路図である。
【図３８】図３７における熱源側冷媒の変遷を表すｐ−ｈ線図である。
【符号の説明】
【００１２】
１  空気調和装置、１０  室外ユニット、１１  圧縮機、１２  四方弁、１３  室外熱交換器、２０  中継部、２１  第１冷媒分岐部、２２  第２冷媒分岐部、２３  第３冷媒分岐部、２４  第１冷媒流量制御装置、２５ｎ  中間熱交換器、２６ｎ  三方弁、２７ｎ  第２冷媒流量制御装置、２８ｎ  ポンプ、３０ｎ  室内ユニット、３１ｎ  室内熱交換器、４０  分岐配管、４１  第１延長配管、４２  第２延長配管、４３ｎ  第３延長配管、４４ｎ  第４延長配管、５０  冷媒流路切替部、５１  第１逆止弁、５２  第２逆止弁、５３  第３逆止弁、５４  第４逆止弁、６１  気液分離装置、６２  バイパス配管、６３  第３冷媒流量制御装置、６４ｎ  第１温度センサ、６５ｎ  第２温度センサ、６６ｎ  インバータ、７０  開閉装置、８０  利用側冷媒流路切替部、８１ｎ  第１切替弁、８２ｎ  第２切替弁、９０  第２冷媒流路切替部、９１ｎ  第５逆止弁、９２ｎ  第６逆止弁、９３  熱交換器、９４  第２バイパス配管、９５  第４冷媒分岐部、１００  ビル、１１１〜１１３  居住空間、１２１〜１２３  共用空間、１３０  配管設置空間、Ａ  熱源側冷媒回路、Ｂｎ  利用側冷媒回路。
【発明を実施するための最良の形態】
【００１３】
実施の形態１．
図１は、本発明の実施の形態１における空気調和装置の冷媒回路図である。
空気調和装置１は、室外の空気と熱交換を行う室外熱交換器１３等を有する熱源側冷媒回路Ａと、室内の空気と熱交換を行う室内熱交換器３１ｎ（以下、ｎは１以上の自然数であり、室内熱交換器の台数を示す）等を有する利用側冷媒回路Ｂｎとを備えている。熱源側冷媒回路Ａを循環する熱源側冷媒と利用側冷媒回路Ｂｎを循環する利用側冷媒とは、中間熱交換器２５ｎで互いに熱交換を行う。そして、熱源側冷媒回路Ａ及び利用側冷媒回路Ｂｎの各構成要素は、室外ユニット１０、中継部２０、室内ユニット３０ｎに設けられている。本実施の形態１では、利用側冷媒として水を使用する。【００１４】
なお、本実施の形態１では室内ユニット３０ｎは３台（ｎ＝３）となっているが、２台でもよいし、３台以上でもよい。また、中継部２０も１台に限らず、複数台でもよい。つまり、複数台の中継部のそれぞれに複数台の室内ユニットが設けられた構成でも、本発明は実施可能である。また、室外ユニット１０も、出力負荷に応じて複数台設けることも可能である。【００１５】
熱源側冷媒回路Ａは、圧縮機１１、四方弁１２、室外熱交換器１３、第１冷媒分岐部２１、第２冷媒分岐部２２、第３冷媒分岐部２３、第１冷媒流量制御装置２４、中間熱交換器２５１〜２５３、三方弁２６１〜２６３、及び第２冷媒流量制御装置２７１〜２７３等から構成されている。ここで、四方弁１２及び三方弁２６１〜２６３が、それぞれ本発明の第２冷媒流路切替装置及び第１冷媒流路切替装置に相当する。【００１６】
圧縮機１１は、この圧縮機１１から吐出された熱源側冷媒の流れ方向を切り替える四方弁１２に接続されている。この四方弁１２は第１延長配管４１を介して第１冷媒分岐部２１と接続されている。室外熱交換器１３は一方が四方弁１２に接続されており、他方は第２延長配管及び分岐配管４０を介して第２冷媒分岐部２２及び第３冷媒分岐部２３に接続されている。また分岐配管４０と第２冷媒分岐部２２との間には第１冷媒流量制御装置２４が設けられている。中間熱交換器２５１〜２５３のそれぞれは、一方が第２冷媒流量制御装置２７１〜２７３を介して第２冷媒分岐部２２と接続されており、他方が三方弁２６１〜２６３を介して第１冷媒分岐部２１及び第３冷媒分岐部２３に接続されている。【００１７】
利用側冷媒回路Ｂは、中間熱交換器２５１〜２５３、ポンプ２８１〜２８３、及び室内熱交換器３１１〜３１３等から構成されている。室外熱交換器３１１〜３１３のそれぞれは、一方が、第３延長配管４３１〜４３３及びポンプ２８１〜２８３のそれぞれを介して中間熱交換器２５１〜２５３と接続されている。また、他方が、第４延長配管４４１〜４４３を介して中間熱交換器２５１〜２５３と接続されている。ここで、ポンプ２８１〜２８３が、本発明の循環装置に相当する。【００１８】
室外ユニット１０には、熱源側冷媒回路Ａの構成要素である圧縮機１１、四方弁１２、及び室外熱交換器１３等が設けられている。中継部２０には、熱源側冷媒回路Ａの構成要素である第１冷媒分岐部２１、第２冷媒分岐部２２、第３冷媒分岐部２３、第１冷媒流量制御装置２４、中間熱交換器２５１〜２５３、三方弁２６１〜２６３、第２冷媒流量制御装置２７１〜２７３等が設けられている。また、中継部２０には、利用側冷媒回路の構成要素であるポンプ２８１〜２８３等が設けられている。室内ユニット３０１〜３０３には、利用側冷媒回路の構成要素である室内熱交換器３１１〜３１３等が設けられている。【００１９】
室外ユニット１０と中継部２０とを分離可能とするため、四方弁１２と第１冷媒分岐部２１との間には、例えば継ぎ手やバルブ等の連結装置によって分離可能な第１延長配管４１が設けられている。室外熱交換器１３と分岐配管４０との間には、例えば継ぎ手やバルブ等の連結装置によって分離可能な第２延長配管４２が設けられている。また、中継部２０と室内ユニットとを分離可能とするため、ポンプ２８１〜２８３と室内熱交換器３１１〜３１３との間には、例えば継ぎ手やバルブ等の連結装置によって分離可能な第３延長配管４３１〜４３３が設けられている。室内熱交換器３１１〜３１３と中間熱交換器２５１〜２５３との間には、例えば継ぎ手やバルブ等の連結装置によって分離可能な第４延長配管４４１〜４４３が設けられている。【００２０】
（運転動作）
次に、本実施の形態１における空気調和装置１の運転動作について説明する。空気調和装置１の運転動作には、冷房運転モード、暖房運転モード、冷房主体運転モード及び暖房主体運転モードの４つのモードがある。
冷房運転モードとは、室内ユニット３０ｎは冷房のみが可能な運転モードである。暖房運転モードとは、室内ユニット３０ｎは暖房のみが可能な運転モードである。冷房主体運転モードは、室内ユニット３０ｎごとに冷房運転と暖房運転を選択できる運転モードであり、暖房負荷に比べて冷房負荷が大きいときに使用するモードである。暖房主体運転モードは、室内ユニット３０ｎごとに冷房運転と暖房運転を選択できる運転モードであり、冷房負荷に比べて暖房負荷が大きいときに使用するモードである。【００２１】
（冷房運転モード）
まず、冷房運転モードについて説明する。
図２は、本発明の実施の形態１における空気調和装置の冷房運転モードの冷媒流れを表す冷媒回路図である。また、図３は、この冷房運転モードでの熱源側冷媒の変遷を表すｐ−ｈ線図である。
なお、図２では、太線で表された配管が冷媒の循環する配管を示す。そして、熱源側冷媒の流れ方向を実線の矢印で、利用側冷媒である水の流れ方向を破線の矢印で示す。また、図３に示すａ〜ｄの冷媒状態は、それぞれ図２にａ〜ｄで示す箇所での冷媒状態である。【００２２】
室内ユニット３０１〜３０３の全てが冷房運転を行う場合、四方弁１２は、圧縮機１１から吐出された熱源側冷媒が室外熱交換器１３へ流れるように切り替わる。すなわち、中継部２０の第１冷媒分岐部２１から出た熱源側冷媒が圧縮機１１に流入するように切り替わる。三方弁２６１〜２６３のそれぞれは、中間熱交換器２５１〜２５３のそれぞれが第１冷媒分岐部２１と連通するように切り替わる。第２冷媒流量制御装置２７１〜２７３のそれぞれは開度を絞る。第１冷媒流量制御装置２４は開度を全開にする。この状態で、圧縮機１１とポンプ２８１〜２８３の運転を開始する。【００２３】
始めに、熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、周囲との熱の出入はないものとすると、図３の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮液化し、高圧液状冷媒となる。室外熱交換器１３での冷媒の変化は、ほぼ圧力一定のもとで行われる。このときの冷媒変化は、室外熱交換器１３の圧力損失を考慮すると、図３の点ｂからｃに示すやや傾いた水平に近い直線で表される。【００２４】
室外熱交換器１３から出た高圧の液状冷媒は、第２延長配管４２及び第１冷媒流量制御装置２４を通り、第２冷媒分岐部２２に流入する。第２冷媒分岐部２２に流入した高圧の液状冷媒は、第２冷媒分岐部２２で分岐され、第２冷媒流量制御装置２７１〜２７３に流入する。そして、高圧の液状冷媒は第２冷媒流量制御装置２７１〜２７３で絞られて膨張（減圧）し、低温低圧の気液二相状態になる。第２冷媒流量制御装置２７１〜２７３での冷媒の変化は、エンタルピ一定のもとで行われる。このときの冷媒変化は、図３の点ｃからｄに示す垂直線で表される。【００２５】
第２冷媒流量制御装置２７１〜２７３を出た低温低圧で気液二相状態の冷媒は、中間熱交換器２５１〜２５３にそれぞれ流入する。そして、中間熱交換器２５１〜２５３を流れる水から吸熱して、低温低圧の蒸気状冷媒となる。中間熱交換器２５１〜２５３での熱源側冷媒の変化は、ほぼ圧力一定のもとで行われる。このときの冷媒変化は、中間熱交換器２５１〜２５３の圧力損失を考慮すると、図３の点ｄからａに示すやや傾いた水平に近い直線で表される。【００２６】
中間熱交換器２５１〜２５３を出た低温低圧の蒸気状冷媒は、それぞれ三方弁２６１〜２６３を通り、第１冷媒分岐部２１に流入する。第１冷媒分岐部２１で合流した低温低圧の蒸気状冷媒は、第１延長配管４１及び四方弁１２を通って圧縮機１１に流入し、圧縮される。【００２７】
なお、圧縮機１１に流入する低温低圧の蒸気状冷媒は、配管を通るので、中間熱交換器２５１〜２５３を出た直後の低温低圧の蒸気状冷媒に比べて若干圧力が低下するが、図３では同じ点ａで表している。同様に、第２冷媒流量制御装置２７１〜２７３に流入する高圧の液状冷媒は、配管を通るので、室外熱交換器１３から出た高圧の液状冷媒に比べて若干圧力が低下するが、図３では同じ点ｃで表している。このような配管通過に起因する冷媒の圧力損失や、上述の室外熱交換器１３及び中間熱交換器２５１〜２５３での圧力損失は、以下に示す暖房運転モード、冷房主体運転モード及び暖房主体運転モードについても同様であるので、必要な場合を除いて説明を省略する。【００２８】
続いて、利用側冷媒回路Ｂの冷媒流れについて説明する。
中間熱交換器２５１〜２５３を流れる熱源側冷媒によって冷却された水は、ポンプ２８１〜２８３を通って、室内熱交換器３１１〜３１３に流入する。そして、室内熱交換器３１１〜３１３において室内空気から吸熱し、室内ユニット３０１〜３０３（室内熱交換器３１１〜３１３）が設けられた室内の冷房を行う。その後、室内熱交換器３１１〜３１３を出た水は、中間熱交換器２５１〜２５３に流入する。【００２９】
（暖房運転モード）
次に、暖房運転モードについて説明する。
図４は、本発明の実施の形態１における空気調和装置の暖房運転モードの冷媒流れを表す冷媒回路図である。また、図５は、この暖房運転モードでの熱源側冷媒の変遷を表すｐ−ｈ線図である。
なお、図４では、太線で表された配管が冷媒の循環する配管を示す。そして、熱源側冷媒の流れ方向を実線の矢印で、利用側冷媒である水の流れ方向を破線の矢印で示す。また、図５に示すａ〜ｄの冷媒状態は、それぞれ図４にａ〜ｄで示す箇所での冷媒状態である。【００３０】
室内ユニット３０１〜３０３の全てが暖房運転を行う場合、四方弁１２は、圧縮機１１から吐出された熱源側冷媒が、第１延長配管４１を通って中継部２０の第１冷媒分岐部２１に流入するように切り替わる。すなわち、室外熱交換器１３から出た熱源側冷媒が圧縮機１１に流入するように切り替わる。三方弁２６１〜２６３のそれぞれは、中間熱交換器２５１〜２５３のそれぞれが第１冷媒分岐部２１と連通するように切り替わる。第２冷媒流量制御装置２７１〜２７３のそれぞれは開度を絞る。第１冷媒流量制御装置２４は開度を全開にする。この状態で、圧縮機１１とポンプ２８１〜２８３の運転を開始する。【００３１】
始めに、熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図５の点ａからｂに示す等エントロピ線で表される。圧縮機１１から吐出された高温高圧の冷媒は、四方弁１２及び第１延長配管４１を通り、第１冷媒分岐部２１に流入する。第１冷媒分岐部２１に流入した高温高圧の冷媒は、第１冷媒分岐部２１で分岐され、三方弁２６１〜２６３を通って中間熱交換器２５１〜２５３にそれぞれ流入する。そして、中間熱交換器２５１〜２５３を流れる水に放熱しながら凝縮液化し、高圧の液状冷媒となる。このときの冷媒変化は、図５の点ｂからｃに示すやや傾いた水平に近い直線で表される。【００３２】
中間熱交換器２５１〜２５３を出た高圧の液状冷媒は、第２冷媒流量制御装置２７１〜２７３に流入する。そして、高圧の液状冷媒は第２冷媒流量制御装置２７１〜２７３で絞られて膨張（減圧）し、低温低圧の気液二相状態になる。このときの冷媒変化は、図５の点ｃからｄに示す垂直線で表される。第２冷媒流量制御装置２７１〜２７３を出た低温低圧で気液二相状態の冷媒は、第２冷媒分岐部２２に流入する。第２冷媒分岐部２２で合流した気液二相状態の冷媒は、第１冷媒流量制御装置２４及び第２延長配管４２を通って室外熱交換器１３に流入する。そして、室外熱交換器１３で室外空気から吸熱して、低温低圧の蒸気状冷媒となる。このときの冷媒変化は、図５の点ｄからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【００３３】
続いて、利用側冷媒回路Ｂの冷媒流れについて説明する。
中間熱交換器２５１〜２５３を流れる熱源側冷媒によって加熱された水は、ポンプ２８１〜２８３を通って、室内熱交換器３１１〜３１３に流入する。そして、室内熱交換器３１１〜３１３において室内空気に放熱し、室内ユニット３０１〜３０３（室内熱交換器３１１〜３１３）が設けられた室内の暖房を行う。その後、室内熱交換器３１１〜３１３を出た水は、中間熱交換器２５１〜２５３に流入する。【００３４】
（冷房主体運転モード）
次に、冷房主体運転モードについて説明する。
図６は、本発明の実施の形態１における空気調和装置の冷房主体運転モードの冷媒流れを表す冷媒回路図である。また、図７は、この冷房主体運転モードでの熱源側冷媒の変遷を表すｐ−ｈ線図である。
なお、図６では、太線で表された配管が冷媒の循環する配管を示す。そして、熱源側冷媒の流れ方向を実線の矢印で、利用側冷媒である水の流れ方向を破線の矢印で示す。また、図７に示すａ〜ｅの冷媒状態は、それぞれ図６にａ〜ｅで示す箇所での冷媒状態である。【００３５】
室内ユニット３０１及び３０２が冷房運転を行い、室内ユニット３０３が暖房運転を行う場合について説明する。四方弁１２は、圧縮機１１から吐出された熱源側冷媒が室外熱交換器１３へ流れるように切り替わる。すなわち、中継部２０の第１冷媒分岐部２１から出た熱源側冷媒が圧縮機１１に流入するように切り替わる。三方弁２６１及び２６２は、中間熱交換器２５１及び２５２が第１冷媒分岐部２１と連通するように切り替わる。また、三方弁２６３は、中間熱交換器２５３が第３冷媒分岐部２３と連通するように切り替わる。第２冷媒流量制御装置２７１及び２７２は開度を絞り、第２冷媒流量制御装置２７３は開度を全開にする。第１冷媒流量制御装置２４は開度を全閉にする。この状態で、圧縮機１１とポンプ２８１〜２８３の運転を開始する。【００３６】
始めに、熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図７の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱し、高圧の気液二相状態の冷媒となる。このときの冷媒変化は、図７の点ｂからｃに示すやや傾いた水平に近い直線で表される。【００３７】
室外熱交換器１３から出た高圧の気液二相冷媒は、第２延長配管４２を通り、第３冷媒分岐部２３に流入する。第３冷媒分岐部２３を出た高圧の気液二相冷媒は、三方弁２６３を通って中間熱交換器２５３に流入する。そして、中間熱交換器２５３を流れる水に放熱しながら凝縮液化し、高圧の液状冷媒となる。このときの冷媒変化は、図７の点ｃからｄに示すやや傾いた水平に近い直線で表される。中間熱交換器２５３を出た高圧の液状冷媒は、第２冷媒流量制御装置２７３を通り第２冷媒分岐部２２に流入する。【００３８】
第２冷媒分岐部２２に流入した高圧の液状冷媒は、第２冷媒分岐部で分岐され、第２冷媒流量制御装置２７１及び２７２に流入する。そして、高圧の液状冷媒は第２冷媒流量制御装置２７１及び２７２で絞られて膨張（減圧）し、低温低圧の気液二相状態になる。このときの冷媒変化は、図７の点ｄからｅに示す垂直線で表される。【００３９】
第２冷媒流量制御装置２７１及び２７２を出た低温低圧で気液二相状態の冷媒は、中間熱交換器２５１及び２５２にそれぞれ流入する。そして、中間熱交換器２５１及び２５２を流れる水から吸熱して、低温低圧の蒸気状冷媒となる。このときの冷媒変化は、図７の点ｅからａに示すやや傾いた水平に近い直線で表される。【００４０】
中間熱交換器２５１及び２５２を出た低温低圧の蒸気状冷媒は、それぞれ三方弁２６１及び２６２を通り、第１冷媒分岐部２１に流入する。第１冷媒分岐部２１で合流した低温低圧の蒸気状冷媒は、第１延長配管４１及び四方弁１２を通って圧縮機１１に流入し、圧縮される。【００４１】
続いて、利用側冷媒回路Ｂの冷媒流れについて説明する。
中間熱交換器２５１及び２５２を流れる熱源側冷媒によって冷却された水は、ポンプ２８１及び２８２を通って、室内熱交換器３１１及び３１２に流入する。そして、室内熱交換器３１１及び３１２において室内空気から吸熱し、室内ユニット３０１及び３０２（室内熱交換器３１１及び３１２）が設けられた室内の冷房を行う。その後、室内熱交換器３１１及び３１２を出た水は、中間熱交換器２５１及び２５２に流入する。【００４２】
中間熱交換器２５３を流れる熱源側冷媒によって加熱された水は、ポンプ２８３を通って、室内熱交換器３１３に流入する。そして、室内熱交換器３１３において室内空気に放熱し、室内ユニット３０３（室内熱交換器３１３）が設けられた室内の暖房を行う。その後、室内熱交換器３１３を出た水は、中間熱交換器２５３に流入する。【００４３】
（暖房主体運転モード）
次に、暖房主体運転モードについて説明する。
図８は、本発明の実施の形態１における空気調和装置の暖房主体運転モードの冷媒流れを表す冷媒回路図である。また、図９は、この暖房運転モードでの熱源側冷媒の変遷を表すｐ−ｈ線図である。
なお、図８では、太線で表された配管が冷媒の循環する配管を示す。そして、熱源側冷媒の流れ方向を実線の矢印で、利用側冷媒である水の流れ方向を破線の矢印で示す。また、図９に示すａ〜ｇの冷媒状態は、それぞれ図８にａ〜ｇで示す箇所での冷媒状態である。【００４４】
室内ユニット３０１が冷房運転を行い、室内ユニット３０２及び３０３が暖房運転を行う場合について説明する。四方弁１２は、圧縮機１１から吐出された熱源側冷媒が、第１延長配管４１を通って中継部２０の第１冷媒分岐部２１に流入するように切り替わる。すなわち、室外熱交換器１３から出た熱源側冷媒が圧縮機１１に流入するように切り替わる。三方弁２６１は、中間熱交換器２５１が第３冷媒分岐部２３と連通するように切り替わる。また、三方弁２６２及び２６３は、中間熱交換器２５２及び２５３が第１冷媒分岐部２１と連通するように切り替わる。第２冷媒流量制御装置２７１は開度を絞り、第２冷媒流量制御装置２７２及び２７３は開度を全開にする。第２冷媒流量制御装置２７１〜２７３のそれぞれは開度を絞る。第１冷媒流量制御装置２４は開度を絞る。この状態で、圧縮機１１とポンプ２８１〜２８３の運転を開始する。【００４５】
始めに、熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図９の点ａからｂに示す等エントロピ線で表される。圧縮機１１から吐出された高温高圧の冷媒は、四方弁１２及び第１延長配管４１を通り、第１冷媒分岐部２１に流入する。第１冷媒分岐部２１に流入した高温高圧の冷媒は、第１冷媒分岐部２１で分岐され、三方弁２６２及び２６３を通って中間熱交換器２５２及び２５３にそれぞれ流入する。そして、中間熱交換器２５２及び２５３を流れる水に放熱しながら凝縮液化し、高圧の液状冷媒となる。このときの冷媒変化は、図９の点ｂからｃに示すやや傾いた水平に近い直線で表される。【００４６】
中間熱交換器２５２及び２５３を出た高圧の液状冷媒は、第２冷媒流量制御装置２７２及び２７３を通って第２冷媒分岐部２２に流入する。第２冷媒分岐部２２で合流した高圧の液状冷媒の一部は、第２冷媒流量制御装置２７１に流入する。そして、高圧の液状冷媒は第２冷媒流量制御装置２７１で絞られて膨張（減圧）し、低温低圧の気液二相状態になる。このときの冷媒変化は、図９の点ｃからｄに示す垂直線で表される。第２冷媒流量制御装置２７１を出た低温低圧で気液二相状態の冷媒は、中間熱交換器２５１に流入する。そして、中間熱交換器２５１を流れる水から吸熱して、低温低圧の蒸気状冷媒（又は気液二相状態の冷媒）となる。このときの冷媒変化は、図９の点ｄからｅに示すやや傾いた水平に近い直線で表される。中間熱交換器２５１を出た低温低圧の蒸気状冷媒は、三方弁２６１を通り第３冷媒分岐部２３に流入する。【００４７】
一方、第２冷媒分岐部２２で合流した残りの高圧の液状冷媒は、第１冷媒流量制御装置２４で絞られて膨張（減圧）し、低温低圧の気液二相状態になる。このときの冷媒変化は、図９の点ｃからｆに示す垂直線で表される。第１冷媒流量制御装置２４を出た低温低圧の気液二相冷媒は、第３冷媒分岐部２３から出た低温低圧の蒸気状冷媒と合流し（図９に示す点ｇ）、第２延長配管４２を通って室外熱交換器１３に流入する。そして、室外熱交換器１３で室外空気から吸熱して、低温低圧の蒸気状冷媒となる。このときの冷媒変化は、図９の点ｇからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【００４８】
続いて、利用側冷媒回路Ｂの冷媒流れについて説明する。
中間熱交換器２５１を流れる熱源側冷媒によって冷却された水は、ポンプ２８１を通って、室内熱交換器３１１に流入する。そして、室内熱交換器３１１において室内空気から吸熱し、室内ユニット３０１（室内熱交換器３１１）が設けられた室内の冷房を行う。その後、室内熱交換器３１１を出た水は、中間熱交換器２５１に流入する。【００４９】
中間熱交換器２５２及び２５３を流れる熱源側冷媒によって加熱された水は、ポンプ２８２及び２８３を通って、室内熱交換器３１２及び３１３に流入する。そして、室内熱交換器３１２及び３１３において室内空気に放熱し、室内ユニット３０２及び３０３（室内熱交換器３１３）が設けられた室内の暖房を行う。その後、室内熱交換器３１２及び３１３を出た水は、中間熱交換器２５２及び２５３に流入する。【００５０】
このように構成された空気調和装置１は、室外ユニット１０は例えばビルの屋上や地下等に設置され、中継部２０は例えばビルの各階に設けられた共用空間等に設置される。つまり、室外ユニット１０及び中継部２０は人間の存在する空間（居住空間や、人間が往来する空間等）以外の場所に設置される。人間の存在する空間には、水が循環している利用側冷媒回路Ｂ１〜Ｂ３及び室内ユニット３０１〜３０３が設置される。したがって、空間中に漏洩する冷媒の許容濃度が規制された冷媒が人間の存在する空間に漏洩することを防止できる。また、室内ユニット３０１〜３０３は冷暖同時運転が可能になる。【００５１】
また、中継部２０と室内ユニット３０１〜３０３は分離可能な構造となっているので、従来から水冷媒を用いていた設備に換えて空気調和装置１を設置する際、室内ユニット３０１〜３０３、第３延長配管４３１〜４３３及び第４延長配管４４１〜４４３を再利用することができる。【００５２】
また、熱源側冷媒回路Ａのうち、室内ユニット３０１〜３０３の冷暖同時運転を可能にしている回路構成は中継部２０に設けられているので、室外ユニット１０と中継部とは２本の配管（第１延長配管４１及び第２延長配管４２）で接続することができる。したがって、配管材料のコスト削減や設置工数の削減が可能である。【００５３】
なお、本実施の形態１では熱源側冷媒の冷媒種類ついて特定していないが、熱源側冷媒は限定されず、種々の冷媒が使用可能である。例えば、Ｒ４０７Ｃ等の非共沸混合冷媒、Ｒ４１０Ａ等の擬似共沸混合冷媒、又はＲ２２等の単一冷媒等を使用してもよい。二酸化炭素や炭化水素等の自然冷媒を使用してもよい。テトラフルオロプロペンを主成分とする冷媒等、フロン冷媒（Ｒ４０７ＣやＲ４１０Ａ等）よりも地球温暖化係数が小さい冷媒を使用してもよい。熱源側冷媒として、自然冷媒又は地球温暖化係数がフロン冷媒よりも小さい冷媒を使用することにより、冷媒漏洩による地球の温室効果を抑制できる効果がある。特に、二酸化炭素は高圧側が超臨界状態で凝縮せずに熱交換を行うため、中間熱交換器２５１〜２５３において水と二酸化炭素が対向流形式で熱交換させるように構成することにより、水を加熱する際の熱交換性能を向上することができる。【００５４】
また、本実施の形態１では利用側冷媒として水が使用されているが、不凍液、水と不凍液の混合液、又は水と防食効果が高い添加剤の混合液等を用いてもよい。この構成によれば、低い外気温度でも凍結や腐食による冷媒漏れを防止でき、高い信頼性を得られる。電算室等の水分を嫌う室内に設置される利用側冷媒回路Ｂでは、利用側冷媒として熱絶縁性の高いフッ素系不活性液体を用いてもよい。【００５５】
また、冷房主体運転モードでは、第１冷媒流量制御装置２４の開度を全閉にして運転したが、わずかに開いて運転してもよい。室外熱交換器１３から出た高圧の気液二相冷媒の一部が第２冷媒分岐部２２に流入し、中間熱交換器２５３を流れる冷媒量を抑制することができる。これにより、冷媒の流量増大による振動や冷媒音の発生を中間熱交換器２５３において抑制することができる。【００５６】
また、冷媒流路切替装置として三方弁２６１〜２６３を設けたが、冷媒流路切替装置として２台の二方切替弁を設けてもよい。双方向流れの三方弁はシール構造が複雑で高額となるが、安価な二方切替弁を使用することにより、空気調和装置１を安価に製作することができる。【００５７】
また、本実施の形態１では、冷房運転モード及び暖房運転モードを行うために圧縮機１１の吐出側に四方弁１２を設けたが、どちらか一方の運転モードだけでよい場合は四方弁１２を設けなくとも本発明は実施可能である。四方弁１２を設けないことにより冷房運転モード又は暖房運転モードが出来なくなるものの、冷房主体運転モード又は暖房主体運転モードによって室内ユニット３０１〜３０３の冷暖同時運転は可能である。【００５８】
以上、本発明の具体的実施の形態について説明したが、これらに限定せず、本発明の範疇及び精神を逸脱することなく、さまざまに変形又は変更可能である。例えば、室外ユニット１０に設けられた四方弁の代わりに２台の三方切替弁を設けた形態でもよい。【００５９】
また、本発明において、室外ユニット１０及び室内ユニット３０ｎの「ユニット」は、必ずしも全ての構成要素が同一のハウジング内又はハウジング外壁に設けられることを意味するものではない。例えば、中継部２０の第１冷媒分岐部２１、第２冷媒分岐部２２及び第３冷媒分岐部２３が収納されたハウジングと、ポンプ２８ｎと中間熱交換器２５ｎが収容されたハウジングとは別の箇所に配置しても、かかる構成は本発明の範囲内に含まれる。また、室外ユニット１０中に室外熱交換器１３や圧縮機１１からなるセットを複数設け、各セットから流出する熱源側冷媒を合流させて中継部２０に流入させるようにしてもよい。【００６０】
なお、上記実施の形態では、凝縮しながら放熱する冷媒を熱源側冷媒として充填する形態について説明したが、熱源側冷媒回路Ａに二酸化炭素など超臨界状態で放熱する冷媒を充填する場合は、凝縮器は放熱器として動作し、冷媒は凝縮せずに放熱しながら温度低下する。【００６１】
実施の形態２．
図１０は、本発明の実施の形態２における空気調和装置の冷媒回路図である。この空気調和装置１には、実施の形態１における空気調和装置の冷媒回路に、冷媒流路切替部５０、気液分離装置６１、バイパス配管６２、及び第３冷媒流量制御装置６３が設けられている。この空気調和装置１の熱源側冷媒回路Ａには、凝縮しながら放熱する冷媒が用いられている。ここで、冷媒流路切替部５０が、本発明における第３冷媒流路切替装置に相当する。
なお、本実施の形態２において、特に記述しない項目については実施の形態１と同様とし、同一の機能や構成については同一の符号を用いて述べることとする。【００６２】
冷媒流路切替部５０は室外ユニット１０に設けられており、第１逆止弁５１、第２逆止弁５２、第３逆止弁５３及び第４逆止弁５４等から構成されている。第１逆止弁５１は四方弁１２と第１延長配管４１とを接続する配管に設けられており、熱源側冷媒は四方弁１２の方向にのみ流れるようになっている。第２逆止弁５２は室外熱交換器１３と第２延長配管４２とを接続する配管に設けられており、熱源側冷媒は第２冷媒分岐部２２及び第３冷媒分岐部の方向にのみ流れるようになっている。第３逆止弁５３は、第１逆止弁５１の流入側と第２逆止弁５２の流入側を接続する配管に設けられており、熱源側冷媒は第２逆止弁５２の流入側のみに流れるようになっている。第４逆止弁５４は、第１逆止弁５１の流出側と第２逆止弁５２の流出側を接続する配管に設けられており、熱源側冷媒は第２逆止弁５２の流出側のみに流れるようになっている。このような冷媒流路切替部５０を室外ユニットに設けることによって、圧縮機１１から吐出された熱源側冷媒は常に第２延長配管４２を通って中継部２０に流入し、中継部２０から流出する熱源側冷媒は常に第１延長配管４１を通ることとなる。【００６３】
中継部２０の分岐配管４０には、気液分離装置６１が設けられている。この気液分離装置６１は、室外ユニット１０側から流入してきた熱源側冷媒を液状冷媒と蒸気状冷媒とに分離する。気液分離装置６１で分離された液状冷媒は、第１冷媒流量制御装置２４を通って第２冷媒分岐部２２に流入する。また、気液分離装置６１で分離された蒸気状冷媒は、第３冷媒分岐部２３に流入する。【００６４】
また、中継部２０には、第１冷媒分岐部２１と第３冷媒分岐部２３とを接続するバイパス配管６２が設けられている。このバイパス配管６２には第３冷媒流量制御装置６３が設けられている。【００６５】
（運転動作）
次に、本実施の形態２における空気調和装置１の運転動作について説明する。【００６６】
（冷房運転モード）
まず、冷房運転モードについて説明する。
図１１は、本発明の実施の形態２における空気調和装置の冷房運転モードの冷媒流れを表す冷媒回路図である。また、図１２は、この冷房運転モードでの熱源側冷媒の変遷を表すｐ−ｈ線図である。
なお、図１１では、太線で表された配管が冷媒の循環する配管を示す。そして、熱源側冷媒の流れ方向を実線の矢印で、利用側冷媒である水の流れ方向を破線の矢印で示す。また、図１２に示すａ〜ｄの冷媒状態は、それぞれ図１１にａ〜ｄで示す箇所での冷媒状態である。【００６７】
室内ユニット３０１〜３０３の全てが冷房運転を行う場合、四方弁１２は、圧縮機１１から吐出された熱源側冷媒が室外熱交換器１３へ流れるように切り替わる。すなわち、中継部２０の第１冷媒分岐部２１から出た熱源側冷媒が、第１延長配管４１及び第１逆止弁５１を通って圧縮機１１に流入するように切り替わる。三方弁２６１〜２６３のそれぞれは、中間熱交換器２５１〜２５３のそれぞれが第１冷媒分岐部２１と連通するように切り替わる。第２冷媒流量制御装置２７１〜２７３のそれぞれは開度を絞る。第１冷媒流量制御装置２４は開度を全開にする。第３冷媒流量制御装置６３は開度を全閉にする。この状態で、圧縮機１１とポンプ２８１〜２８３の運転を開始する。【００６８】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、周囲との熱の出入はないものとすると、図１２の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮液化し、高圧液状冷媒となる。室外熱交換器１３での冷媒の変化は、ほぼ圧力一定のもとで行われる。このときの冷媒変化は、室外熱交換器１３の圧力損失を考慮すると、図１２の点ｂからｃに示すやや傾いた水平に近い直線で表される。【００６９】
室外熱交換器１３から出た高圧の液状冷媒は、第２逆止弁５２、第２延長配管４２、気液分離装置６１及び第１冷媒流量制御装置２４を通り、第２冷媒分岐部２２に流入する。第２冷媒分岐部２２に流入した高圧の液状冷媒は、第２冷媒分岐部２２で分岐され、第２冷媒流量制御装置２７１〜２７３に流入する。そして、高圧の液状冷媒は第２冷媒流量制御装置２７１〜２７３で絞られて膨張（減圧）し、低温低圧の気液二相状態になる。第２冷媒流量制御装置２７１〜２７３での冷媒の変化は、エンタルピ一定のもとで行われる。このときの冷媒変化は、図１２の点ｃからｄに示す垂直線で表される。【００７０】
第２冷媒流量制御装置２７１〜２７３を出た低温低圧で気液二相状態の冷媒は、中間熱交換器２５１〜２５３にそれぞれ流入する。そして、中間熱交換器２５１〜２５３を流れる水から吸熱して、低温低圧の蒸気状冷媒となる。中間熱交換器２５１〜２５３での熱源側冷媒の変化は、ほぼ圧力一定のもとで行われる。このときの冷媒変化は、中間熱交換器２５１〜２５３の圧力損失を考慮すると、図１２の点ｄからａに示すやや傾いた水平に近い直線で表される。【００７１】
中間熱交換器２５１〜２５３を出た低温低圧の蒸気状冷媒は、それぞれ三方弁２６１〜２６３を通り、第１冷媒分岐部２１に流入する。第１冷媒分岐部２１で合流した低温低圧の蒸気状冷媒は、第１延長配管４１、第１逆止弁５１及び四方弁１２を通って圧縮機１１に流入し、圧縮される。【００７２】
なお、利用側冷媒回路Ｂの冷媒流れについては実施の形態１と同様であるので、本実施の形態２においては説明を省略する。【００７３】
（暖房運転モード）
次に、暖房運転モードについて説明する。
図１３は、本発明の実施の形態２における空気調和装置の暖房運転モードの冷媒流れを表す冷媒回路図である。また、図１４は、この暖房運転モードでの熱源側冷媒の変遷を表すｐ−ｈ線図である。
なお、図１３では、太線で表された配管が冷媒の循環する配管を示す。そして、熱源側冷媒の流れ方向を実線の矢印で、利用側冷媒である水の流れ方向を破線の矢印で示す。また、図１４に示すａ〜ｄの冷媒状態は、それぞれ図１３にａ〜ｄで示す箇所での冷媒状態である。【００７４】
室内ユニット３０１〜３０３の全てが暖房運転を行う場合、四方弁１２は、圧縮機１１から吐出された熱源側冷媒が、第４逆止弁５２及び第２延長配管４２を通って中継部２０の第３冷媒分岐部２３に流入するように切り替わる。すなわち、室外熱交換器１３から出た熱源側冷媒が圧縮機１１に流入するように切り替わる。三方弁２６１〜２６３のそれぞれは、中間熱交換器２５１〜２５３のそれぞれが第３冷媒分岐部２３と連通するように切り替わる。第２冷媒流量制御装置２７１〜２７３のそれぞれは開度を絞る。第１冷媒流量制御装置２４は開度を全閉にする。第３冷媒流量制御装置６３は開度を全開にする。この状態で、圧縮機１１とポンプ２８１〜２８３の運転を開始する。【００７５】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図１４の点ａからｂに示す等エントロピ線で表される。圧縮機１１から吐出された高温高圧の冷媒は、四方弁１２、第４逆止弁５４、第２延長配管４２及び気液分離装置６１を通り、第３冷媒分岐部２３に流入する。第３冷媒分岐部２３に流入した高温高圧の冷媒は、第３冷媒分岐部２３で分岐され、三方弁２６１〜２６３を通って中間熱交換器２５１〜２５３にそれぞれ流入する。そして、中間熱交換器２５１〜２５３を流れる水に放熱しながら凝縮液化し、高圧の液状冷媒となる。このときの冷媒変化は、図１４の点ｂからｃに示すやや傾いた水平に近い直線で表される。【００７６】
中間熱交換器２５１〜２５３を出た高圧の液状冷媒は、第２冷媒流量制御装置２７１〜２７３に流入する。そして、高圧の液状冷媒は第２冷媒流量制御装置２７１〜２７３で絞られて膨張（減圧）し、低温低圧の気液二相状態になる。このときの冷媒変化は、図１４の点ｃからｄに示す垂直線で表される。第２冷媒流量制御装置２７１〜２７３を出た低温低圧で気液二相状態の冷媒は、第２冷媒分岐部２２に流入する。第２冷媒分岐部２２で合流した気液二相状態の冷媒は、バイパス配管６２及び第３冷媒流量制御装置６３を通って第１冷媒分岐部２１に流入する。その後、第１延長配管４１及び第３逆止弁５３を通って室外熱交換器１３に流入する。そして、室外熱交換器１３で室外空気から吸熱して、低温低圧の蒸気状冷媒となる。このときの冷媒変化は、図１４の点ｄからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【００７７】
なお、利用側冷媒回路Ｂの冷媒流れについては実施の形態１と同様であるので、本実施の形態２においては説明を省略する。【００７８】
（冷房主体運転モード）
次に、冷房主体運転モードについて説明する。
図１５は、本発明の実施の形態２における空気調和装置の冷房主体運転モードの冷媒流れを表す冷媒回路図である。また、図１６は、この冷房主体運転モードでの熱源側冷媒の変遷を表すｐ−ｈ線図である。
なお、図１５では、太線で表された配管が冷媒の循環する配管を示す。そして、熱源側冷媒の流れ方向を実線の矢印で、利用側冷媒である水の流れ方向を破線の矢印で示す。また、図１６に示すａ〜ｇの冷媒状態は、それぞれ図１５にａ〜ｇで示す箇所での冷媒状態である。【００７９】
室内ユニット３０１及び３０２が冷房運転を行い、室内ユニット３０３が暖房運転を行う場合について説明する。四方弁１２は、圧縮機１１から吐出された熱源側冷媒が室外熱交換器１３へ流れるように切り替わる。すなわち、中継部２０の第１冷媒分岐部２１から出た熱源側冷媒が、第１延長配管４１及び第１逆止弁５１を通って圧縮機１１に流入するように切り替わる。三方弁２６１及び２６２は、中間熱交換器２５１及び２５２が第１冷媒分岐部２１と連通するように切り替わる。また、三方弁２６３は、中間熱交換器２５３が第３冷媒分岐部２３と連通するように切り替わる。第２冷媒流量制御装置２７１及び２７２は開度を絞り、第２冷媒流量制御装置２７３は開度を全開にする。第１冷媒流量制御装置２４は、気液分離装置６１で熱源側冷媒を液状冷媒と蒸気状冷媒とに分離するように開度を絞る。第３冷媒流量制御装置６３は開度を全閉にする。この状態で、圧縮機１１とポンプ２８１〜２８３の運転を開始する。【００８０】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図１６の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮して、高圧で気液二相状態の冷媒となる。このときの冷媒変化は、図１６の点ｂからｃに示すやや傾いた水平に近い直線で表される。【００８１】
室外熱交換器１３から出た高圧で気液二相状態の冷媒は、第２逆止弁５２及び第２延長配管４２を通り気液分離装置６１に流入する。そして、気液分離装置６１において、蒸気状冷媒（点ｄ）と液状冷媒（点ｅ）とに分離される。【００８２】
気液分離装置６１で分離された蒸気状冷媒（点ｄ）は、第３冷媒分岐部２３及び三方弁２６３を通り中間熱交換器２５３に流入する。そして、中間熱交換器２５３を流れる水に放熱しながら凝縮して、気液二相状態の冷媒となる。このときの冷媒変化は、図１６の点ｄからｆに示すやや傾いた水平に近い直線で表される。中間熱交換器２５３を出た気液二相状態の冷媒は、第２冷媒流量制御装置２７３を通り第２冷媒分岐部２２に流入する。【００８３】
一方、気液分離装置６１で分離された液状冷媒（点ｅ）は、第１冷媒流量制御装置２４に流入する。そして、液状冷媒は第１冷媒流量制御装置２４で絞られて膨張（減圧）し、気液二相状態の冷媒になる。このときの冷媒変化は、図１６の点ｅからｆに示す垂直線で表される。第１冷媒流量制御装置２４を出た気液二相状態の冷媒は第２冷媒分岐部２２に流入し、中間熱交換器２５３から流入した気液二相状態の冷媒と合流する（点ｆ）。【００８４】
第２冷媒分岐部２２に流入した気液二相状態の冷媒は、第２冷媒分岐部２２で分岐され、第２冷媒流量制御装置２７１及び２７２に流入する。そして、気液二相状態の冷媒は第２冷媒流量制御装置２７１及び２７２で絞られて膨張（減圧）し、低温低圧の気液二相状態になる。このときの冷媒変化は、図１６の点ｆからｇに示す垂直線で表される。【００８５】
第２冷媒流量制御装置２７１及び２７２を出た低温低圧で気液二相状態の冷媒は、中間熱交換器２５１及び２５２にそれぞれ流入する。そして、中間熱交換器２５１及び２５２を流れる水から吸熱して、低温低圧の蒸気状冷媒となる。このときの冷媒変化は、図１６の点ｇからａに示すやや傾いた水平に近い直線で表される。【００８６】
中間熱交換器２５１及び２５２を出た低温低圧の蒸気状冷媒は、それぞれ三方弁２６１及び２６２を通り、第１冷媒分岐部２１に流入する。第１冷媒分岐部２１で合流した低温低圧の蒸気状冷媒は、第１延長配管４１、第１逆止弁５１及び四方弁１２を通って圧縮機１１に流入し、圧縮される。【００８７】
なお、利用側冷媒回路Ｂの冷媒流れについては実施の形態１と同様であるので、本実施の形態２においては説明を省略する。【００８８】
（暖房主体運転モード）
次に、暖房主体運転モードについて説明する。
図１７は、本発明の実施の形態２における空気調和装置の暖房主体運転モードの冷媒流れを表す冷媒回路図である。また、図１８は、この暖房運転モードでの熱源側冷媒の変遷を表すｐ−ｈ線図である。
なお、図１７では、太線で表された配管が冷媒の循環する配管を示す。そして、熱源側冷媒の流れ方向を実線の矢印で、利用側冷媒である水の流れ方向を破線の矢印で示す。また、図１８に示すａ〜ｇの冷媒状態は、それぞれ図１７にａ〜ｇで示す箇所での冷媒状態である。【００８９】
室内ユニット３０１が冷房運転を行い、室内ユニット３０２及び３０３が暖房運転を行う場合について説明する。四方弁１２は、圧縮機１１から吐出された熱源側冷媒が、第４逆止弁５２及び第２延長配管４２を通って中継部２０の第３冷媒分岐部２３に流入するように切り替わる。すなわち、室外熱交換器１３から出た熱源側冷媒が圧縮機１１に流入するように切り替わる。三方弁２６１は、中間熱交換器２５１が第１冷媒分岐部２１と連通するように切り替わる。また、三方弁２６２及び２６３は、中間熱交換器２５２及び２５３が第３冷媒分岐部２３と連通するように切り替わる。第２冷媒流量制御装置２７１は開度を絞り、第２冷媒流量制御装置２７２及び２７３は開度を全開にする。第１冷媒流量制御装置２４は開度を全閉にする。第３冷媒流量制御装置６３は、第２冷媒分岐部２２に流入してきた熱源側冷媒の一部をバイパス配管６２に流すように開度を絞る。この状態で、圧縮機１１とポンプ２８１〜２８３の運転を開始する。【００９０】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図１８の点ａからｂに示す等エントロピ線で表される。圧縮機１１から吐出された高温高圧の冷媒は、四方弁１２、第４逆止弁５４、第２延長配管４２及び気液分離装置６１を通り、第３冷媒分岐部２３に流入する。第３冷媒分岐部２３に流入した高温高圧の冷媒は、第３冷媒分岐部２３で分岐され、三方弁２６２及び２６３を通って中間熱交換器２５２及び２５３にそれぞれ流入する。そして、中間熱交換器２５２及び２５３を流れる水に放熱しながら凝縮液化し、高圧の液状冷媒となる。このときの冷媒変化は、図１８の点ｂからｃに示すやや傾いた水平に近い直線で表される。【００９１】
中間熱交換器２５２及び２５３を出た高圧の液状冷媒は、第２冷媒流量制御装置２７２及び２７３を通って第２冷媒分岐部２２に流入する。第２冷媒分岐部２２で合流した高圧の液状冷媒の一部は、第２冷媒流量制御装置２７１に流入する。そして、高圧の液状冷媒は第２冷媒流量制御装置２７１で絞られて膨張（減圧）し、低温低圧の気液二相状態になる。このときの冷媒変化は、図１８の点ｃからｄに示す垂直線で表される。第２冷媒流量制御装置２７１を出た低温低圧で気液二相状態の冷媒は、中間熱交換器２５１に流入する。そして、中間熱交換器２５１を流れる水から吸熱して、低温低圧の蒸気状冷媒となる。このときの冷媒変化は、図１８の点ｄからｅに示すやや傾いた水平に近い直線で表される。中間熱交換器２５１を出た低温低圧の蒸気状冷媒は、三方弁２６１を通り第１冷媒分岐部２１に流入する。【００９２】
一方、中間熱交換器２５２及び２５３から第２冷媒分岐部２２に流入した高圧の液状冷媒の残りは、第３冷媒流量制御装置６３に流入する。そして、高圧の液状冷媒は第３冷媒流量制御装置６３で絞られて膨張（減圧）し、低温低圧の気液二相状態になる。このときの冷媒変化は、図１８の点ｃからｆに示す垂直線で表される。第３冷媒流量制御装置６３を出た低温低圧で気液二相状態の冷媒は、第１冷媒分岐部２１に流入し、中間熱交換器２５１から流入した低温低圧の蒸気状冷媒と合流する（点ｇ）。【００９３】
第１冷媒分岐部２１を出た低温低圧で気液二相状態の冷媒は、第１延長配管４１及び第３逆止弁５３を通って室外熱交換器１３に流入する。そして、室外熱交換器１３で室外空気から吸熱して、低温低圧の蒸気状冷媒となる。このときの冷媒変化は、図１８の点ｇからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【００９４】
なお、利用側冷媒回路Ｂの冷媒流れについては実施の形態１と同様であるので、本実施の形態２においては説明を省略する。【００９５】
このように構成された空気調和装置１においては、室外ユニット１０に冷媒流路切替部５０が設けられているので、圧縮機１１から吐出された熱源側冷媒は常に第２延長配管４２を通って中継部２０に流入し、中継部２０から流出する熱源側冷媒は常に第１延長配管４１を通ることとなる。したがって、第１延長配管４１の肉厚を薄くできるので、設備コストを安価にできる。【００９６】
さらに、分岐配管４０に気液分離装置６１が設けられているので、冷房主体運転において蒸気状冷媒だけを中間熱交換器２５ｎに供給できる。したがって空気調和装置の運転効率が向上する。【００９７】
なお、本実施の形態２についても熱源側冷媒の冷媒種類について特定していないが、熱源側冷媒は限定されず、種々の冷媒が使用可能である。例えば、Ｒ４０７Ｃ等の非共沸混合冷媒、Ｒ４１０Ａ等の擬似共沸混合冷媒、又はＲ２２等の単一冷媒等を使用してもよい。二酸化炭素や炭化水素等の自然冷媒を使用してもよい。テトラフルオロプロペンを主成分とする冷媒等、フロン冷媒（Ｒ４０７ＣやＲ４１０Ａ等）よりも地球温暖化係数が小さい冷媒を使用してもよい。熱源側冷媒として、自然冷媒又は地球温暖化係数がフロン冷媒よりも小さい冷媒を使用することにより、冷媒漏洩による地球の温室効果を抑制できる効果がある。特に、二酸化炭素は高圧側が超臨界状態で凝縮せずに熱交換を行うため、中間熱交換器２５１〜２５３において水と二酸化炭素が対向流形式で熱交換させるように構成することにより、水を加熱する際の熱交換性能を向上することができる。【００９８】
また、本実施の形態２についても利用側冷媒として水が使用されているが、不凍液、水と不凍液の混合液、又は水と防食効果が高い添加剤の混合液等を用いもよい。この構成によれば、低い外気温度でも凍結や腐食による冷媒漏れを防止でき、高い信頼性を得られる。電算室等の水分を嫌う室内に設置される利用側冷媒回路Ｂでは、利用側冷媒として熱絶縁性の高いフッ素系不活性液体を用いてもよい。【００９９】
また、冷媒流路切替装置として三方弁２６１〜２６３を設けたが、冷媒流路切替装置として２台の二方切替弁を設けてもよい。双方向流れの三方弁はシール構造が複雑で高額となるが、安価な二方切替弁を使用することにより、空気調和装置１を安価に製作することができる。【０１００】
実施の形態３．
実施の形態１及び実施の形態２では利用側冷媒回路Ｂ１〜Ｂ３を流れる水の流量を制御していなかったが、利用側冷媒回路Ｂ１〜Ｂ３を流れる水の流量を制御するように利用側冷媒回路Ｂ１〜Ｂ３を構成してもよい。【０１０１】
図１９は、本発明の実施の形態３における空気調和装置の冷媒回路図である。空気調和装置１には、実施の形態１に示した空気調和装置１の利用側冷媒回路Ｂに、第１温度センサ６４１〜６４３、第２温度センサ６５１〜６５３及びインバータ６６１〜６６３が設けられている。ここで、インバータ６６１〜６６３が本発明の第４冷媒流量制御装置に相当する。【０１０２】
第１温度センサ６４１〜６４３は室内熱交換器３１１〜３１３の流入側配管（中継部側）にそれぞれ設けられており、室内熱交換器３１１〜３１３に流入する水の温度を検出する。第２温度センサ６５１〜６５３は室内熱交換器３１１〜３１３の流出側配管（中継部側）にそれぞれ設けられており、室内熱交換器３１１〜３１３から流出した水の温度を検出する。インバータ６６１〜６６３はポンプ２８１〜２８３のそれぞれに設けられており、利用側冷媒回路Ｂ１〜Ｂ３を流れる水の流量を調整する。【０１０３】
なお、本実施の形態３では、ポンプ２８１〜２８３の吸入側に第１温度センサ６４１〜６４３が設けられているが、ポンプ２８１〜２８３の吐出側に第１温度センサ６４１〜６４３が設けられていてもよい。つまり、室内熱交換器３１１〜３１３に流入する水の温度を検出できればよい。【０１０４】
（運転動作）
次に、第１温度センサ６４１〜６４３、第２温度センサ６５１〜６５３及びインバータ６６１〜６６３の運転動作の一例について説明する。なお、利用側冷媒回路Ｂ１〜Ｂ３のそれぞれにおいて、第１温度センサ６４１〜６４３、第２温度センサ６５１〜６５３及びインバータ６６１〜６６３の運転動作は同じであるので、以下、利用側冷媒回路Ｂ１を用いて運転動作の説明をする。【０１０５】
室内ユニット３０１が運転を開始すると、第１温度センサ６４１は、室内熱交換器３１１に流入する水の温度（以下、Ｔ１という）を検出する。第２温度センサ６５１は、室内熱交換器３１１から流出した水の温度（以下、Ｔ２という）を検出する。インバータ６６１は、Ｔ１及びＴ２の値に基づきポンプ２８１の吐出量（つまり、利用側冷媒回路Ｂ１の流量）を調整する。なお、インバータ６６は、例えば室内ユニットに設けられたファン（図示せず）の風量に基づいて流量調整をしてもよい。【０１０６】
（冷房運転）
まず、室内ユニット３０１が冷房運転を行う場合について説明する。
第１温度センサ６４１の検出値Ｔ１が所定温度Ｔ３よりも高い場合、中間熱交換器２５１での水と熱源側冷媒の熱交換量を増すため、インバータ６６１はポンプ２８１の吐出量（つまり、利用側冷媒回路Ｂ１の流量）を多くする。第１温度センサ６４１の検出値Ｔ１が所定温度Ｔ３よりも低い場合、中間熱交換器２５１での水と熱源側冷媒の過剰な熱交換を抑制するため、インバータ６６１はポンプ２８１の吐出量（つまり、利用側冷媒回路Ｂ１の流量）を少なくする。
ここで、所定温度Ｔ３は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【０１０７】
また、第２温度センサ６５１の検出値Ｔ２が所定温度Ｔ４よりも高い場合、室内熱交換器３１１での水と室内空気の熱交換量を増すため、インバータ６６１はポンプ２８１の吐出量（つまり、利用側冷媒回路Ｂ１の流量）を多くする。第２温度センサ６５１の検出値Ｔ２が所定温度Ｔ４よりも低い場合、室内熱交換器３１１での水と室内空気の過剰な熱交換を抑制するため、インバータ６６１はポンプ２８１の吐出量（つまり、利用側冷媒回路Ｂ１の流量）を少なくする。
ここで、所定温度Ｔ４は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【０１０８】
（暖房運転）
次に、室内ユニット３０１が暖房運転を行う場合について説明する。
第１温度センサ６４１の検出値Ｔ１が所定温度Ｔ５よりも低い場合、中間熱交換器２５１での水と熱源側冷媒の熱交換量を増すため、インバータ６６１はポンプ２８１の吐出量（つまり、利用側冷媒回路Ｂ１の流量）を多くする。第１温度センサ６４１の検出値Ｔ１が所定温度Ｔ３よりも高い場合、中間熱交換器２５１での水と熱源側冷媒の過剰な熱交換を抑制するため、インバータ６６１はポンプ２８１の吐出量（つまり、利用側冷媒回路Ｂ１の流量）を少なくする。
ここで、所定温度Ｔ５は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【０１０９】
また、第２温度センサ６５１の検出値Ｔ２が所定温度Ｔ６よりも低い場合、室内熱交換器３１１での水と室内空気の熱交換量を増すため、インバータ６６１はポンプ２８１の吐出量（つまり、利用側冷媒回路Ｂ１の流量）を多くする。第２温度センサ６５１の検出値Ｔ２が所定温度Ｔ６よりも高い場合、室内熱交換器３１１での水と室内空気の過剰な熱交換を抑制するため、インバータ６６１はポンプ２８１の吐出量（つまり、利用側冷媒回路Ｂ１の流量）を少なくする。
ここで、所定温度Ｔ６は、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【０１１０】
なお、本実施の形態３では、インバータ６６１は検出値Ｔ１及び検出値Ｔ２の双方を用いて利用側冷媒回路Ｂ１に流れる水の流量を調整したが、検出値Ｔ１及び検出値Ｔ２の一方を用いて利用側冷媒回路Ｂ１に流れる水の流量を調整してもよい。検出値Ｔ１及び検出値Ｔ２を用いず、室内ユニット３０１の設定温度、室内ユニット３０１に設けられたファン（図示せず）の風量等に基づいて利用側冷媒回路Ｂ１に流れる水の流量を調整してもよい。また、第１温度センサ６４１〜６４３及び第２温度センサ６５１〜６５３のかわりに、圧力センサを設け、ポンプ２８１〜２８３の出入口の圧力差等に応じて利用側冷媒回路Ｂ１に流れる水の流量を調整しても同様の効果が得られる。【０１１１】
このように構成された空気調和装置１においては、室内ユニット３０１〜３０３の熱負荷に応じて水の流量を制御でき、ポンプ２８１〜２８３の動力を低減できる。【０１１２】
また、従来の多室形空気調和装置と異なり、室内ユニット３０１〜３０３に冷媒流量制御装置（例えば特許文献２における絞り装置）を設ける必要がない。このため、室内ユニットからの騒音を低減できる。【０１１３】
また、従来の多室形空気調和装置では、室内熱交換器に流入する冷媒の温度と室外熱交換器から流出した冷媒の温度を検出し、これら温度に基づいて冷媒流量制御装置の絞り量を制御して、室内温度を調整していた。このため、室内温度を調整するために、室外ユニットと中継部との通信に加えて、中継部と室内ユニットの通信も行わなければならなかった。しかし、本実施の形態３の空気調和装置は、中継部２０に設けられた第１温度センサ６４１〜６４３及び第２温度センサ６５１〜６５３の検出値（Ｔ１及びＴ２）に基づいてポンプ２８１〜２８３の吐出量（つまり、利用側冷媒回路Ｂ１〜Ｂ３の流量）を制御し、室内の温度調節を行えばよい。したがって、室内の温度調整をするために中継部２０と室内ユニット３０１〜３０３との通信は必要なく、空気調和装置１の制御が簡略化できる。【０１１４】
なお、本実施の形態３では第４冷媒流量制御装置としてインバータ６６１〜６６３を用いたが他の構成を用いてもよい。例えば、室内熱交換器３１１〜３１３の冷媒流入側配管と冷媒流出側配管とを接続するバイパス配管を設けてもよい。このバイパス配管に流量制御弁等を設けてバイパス配管の冷媒流量を制御することにより、室内熱交換器３１１〜３１３に流入する利用側冷媒の流量を調整できる。また、例えば、ポンプ２８１〜２８３を複数のポンプで構成し、ポンプの稼働台数によって利用側冷媒回路Ｂ１〜Ｂ３を流れる水の流量を調整してもよい。【０１１５】
以上、実施の形態１〜実施の形態３においては、水中のごみを捕捉するストレーナ、水の膨張による配管破損を防止するための膨張タンク、ポンプ２８１〜２８３の吐出圧力を調整するための定圧弁等を利用側冷媒回路Ｂ１〜Ｂ３に設けていないが、これらのようなポンプ２８１〜２８３の弁詰まり等を防止する補機を備えてもよい。【０１１６】
実施の形態４．
本実施の形態４においては、実施の形態１〜実施の形態３に示した空気調和装置１のビルへの設置方法の一例を示す。【０１１７】
図２０は、本実施の形態４における空気調和装置の設置概略図である。室外ユニット１０はビル１００の屋上に設置されている。ビル１００の１階に設けられた共用空間１２１には、中継部２０が設置されている。そして、ビル１００の１階に設けられた居住空間１１１には４台の室内ユニット３０１〜３０４が設置されている。また同様に、ビル１００の２階及び３階にも、共用空間１２２及び１２３に中継部２０が設置され、居住空間１１２及び１１３には４台の室内ユニット３０１〜３０４が設置されている。ここで、共用空間１２ｎとは、ビル１００の各階に設けられた機械室、共用廊下、及びロビー等をいう。つまり、共用空間１２ｎとは、ビル１００の各階に設けられた居住空間１１ｎ以外の空間をいう。【０１１８】
各階の共用空間に設置された中継部２０は、配管設置空間１３０に設けられた第１延長配管４１及び第２延長配管４２によって室外ユニット１０と接続されている。また、各階の居住空間に設置された室内ユニット３０１〜３０４は、それぞれ各階の共用空間に設置された中継部２０と第３延長配管４３１〜４３４及び第４延長配管４４１〜４４４によって接続されている。【０１１９】
このように構成された空気調和装置１においては、居住空間１１１〜１１３に設置された配管には水が流れるので、空間中に漏洩する冷媒の許容濃度が規制された冷媒が居住空間１１１〜１１３に漏洩することを防止できる。また、各階の室内ユニット３０１〜３０４は冷暖同時運転が可能になる。【０１２０】
また、室外ユニット１０や中継部２０は居住空間以外の場所に設けられているので、メンテナンスが容易となる。【０１２１】
また、中継部２０と室内ユニット３０１〜３０４は分離可能な構造となっているので、従来から水冷媒を用いていた設備に換えて空気調和装置１を設置する際、室内ユニット３０１〜３０４、第３延長配管４３１〜４３４及び第４延長配管４４１〜４４４を再利用することができる。【０１２２】
なお、室外ユニット１０は必ずしもビル１００の屋上に設置される必要はなく、例えば地下や、各階の機械室等でもよい。【０１２３】
実施の形態５．
図２１は、本発明の実施の形態５における空気調和装置の冷媒回路図である。
空気調和装置１は、室外の空気と熱交換を行う室外熱交換器１３等を有する熱源側冷媒回路Ａと、室内の空気と熱交換を行う室内熱交換器３１ｎ（以下、ｎは１以上の自然数であり、室内熱交換器の台数を示す）等を有する利用側冷媒回路Ｂとを備えている。熱源側冷媒回路Ａを循環する熱源側冷媒と利用側冷媒回路Ｂを循環する利用側冷媒とは、中間熱交換器２５ｎで互いに熱交換を行う。そして、熱源側冷媒回路Ａ及び利用側冷媒回路Ｂの各構成要素は、室外ユニット１０、中継部２０、室内ユニット３０ｎに設けられている。本実施の形態５では、利用側冷媒として水を使用する。【０１２４】
なお、本実施の形態５では室内ユニット３０ｎは４台（ｎ＝４）となっているが、２台又は３台でもよいし、４台以上でもよい。また、中継部２０も１台に限らず、複数台でもよい。つまり、複数台の中継部のそれぞれに複数台の室内ユニットが設けられた構成でも、本発明は実施可能である。また、室外ユニット１０も、出力負荷に応じて複数台設けることも可能である。【０１２５】
熱源側冷媒回路Ａは、圧縮機１１、四方弁１２、室外熱交換器１３、冷媒流路切換部５０、バイパス配管６２、第３冷媒流量制御装置６３、第１冷媒分岐部２１、第２冷媒分岐部２２、第３冷媒分岐部２３、中間熱交換器２５１及び２５２、開閉装置７０、三方弁２６１及び２６２、並びに第２冷媒流量制御装置２７１及び２７２等から構成されている。ここで、四方弁１２、三方弁２６１，２６２、及び冷媒流路切換部５０が、それぞれ本発明の第２冷媒流路切替装置、第１冷媒流路切替装置、及び第３冷媒流路切替装置に相当する。【０１２６】
中継部２０には、分岐配管４０と第２冷媒分岐部２２との間に設けた開閉装置７０、及び第１冷媒分岐部２１と第３冷媒分岐部２３とを接続するバイパス配管６２が設けられている。このバイパス配管６２には、第３冷媒流量制御装置６３が設けられている。【０１２７】
利用側冷媒回路Ｂは、中間熱交換器２５１及び２５２、ポンプ２８１及び２８２、利用側冷媒流路切替部８０、並びに室内熱交換器３１１〜３１４等から構成されている。室内熱交換器３１１〜３１４のそれぞれは、一方が、第３延長配管４３１〜４３４、利用側冷媒流路切替部８０並びにポンプ２８１及び２８２のそれぞれを介して中間熱交換器２５１及び２５２と接続されている。また、他方が、第４延長配管４４１〜４４４及び利用側冷媒流路切替部８０を介して中間熱交換器２５１及び２５２と接続されている。ここで、ポンプ２８１及び２８２が、本発明の循環装置に相当する。【０１２８】
利用側冷媒流路切替部８０は、中間熱交換器２５１で熱交換した利用側冷媒及び中間熱交換器２５２で熱交換した利用側冷媒の少なくとも一方の利用側冷媒を室内ユニット３０１〜３０４に供給するものである。この利用側冷媒流路切替部８０は、複数の水流路切替弁（第１切替弁８１ｎ及び第２切替弁８２ｎ）を備えている。これら第１切替弁８１ｎ及び第２切替弁８２ｎのそれぞれは、中継部２０に接続される室内ユニット３０の台数に応じた個数（ここでは、各４個）が設けられている。本実施の形態５では、第１切替弁８１ｎ及び第２切替弁８２ｎとして、三方弁を用いている。【０１２９】
利用側冷媒流路切替部８０内の冷媒配管は、中継部２０（利用側冷媒流路切替部８０）に接続される室内ユニットの台数に応じて分岐（ここでは、各４分岐）されている。より詳細には、ポンプ２８１を介して中間熱交換器２５１の一方と接続されている冷媒配管は、４つに分岐され、第１切替弁８１１〜８１４のそれぞれと接続されている。ポンプ２８２を介して中間熱交換器２５２の一方と接続されている冷媒配管も、４つに分岐され、第１切替弁８１１〜８１４のそれぞれと接続されている。第１切替弁８１１〜８１４のそれぞれの残りの接続口は、第３延長配管４３１〜４３４のそれぞれを介して、室内熱交換器３１１〜３１４のそれぞれに接続されている。つまり、第１切替弁８１１〜８１４のそれぞれは、室内熱交換器３１１〜３１４のそれぞれへの冷媒流入経路を、中間熱交換器２５１から冷媒が流入する経路又は中間熱交換器２５２から冷媒が流入する経路に切り替えるものである。【０１３０】
また、中間熱交換器２５１の他方と接続されている冷媒配管は、４つに分岐され、第２切替弁８２１〜８２４のそれぞれと接続されている。中間熱交換器２５２の他方と接続されている冷媒配管も、４つに分岐され、第２切替弁８２１〜８２４のそれぞれと接続されている。第２切替弁８２１〜８２４のそれぞれの残りの接続口は、第４延長配管４４１〜４４４のそれぞれを介して、室内熱交換器３１１〜３１４のそれぞれに接続されている。つまり、第２切替弁８２１〜８２４のそれぞれは、室内熱交換器３１１〜３１４のそれぞれからの冷媒流出経路を、中間熱交換器２５１に冷媒が流出する経路又は中間熱交換器２５２に冷媒が流出する経路に切り替えるものである。【０１３１】
ポンプ２８１及び２８２は、利用側冷媒回路Ｂ内（より詳しくは、中間熱交換器２５１及び２５２と室内熱交換器３１１〜３１４との間）で利用側冷媒を循環させるものである。なお、ポンプ２８１及び２８２の種類は特に限定する必要はなく、例えば容量制御可能なもので構成してもよい。また、第１切替弁８１１〜８１４及び第２切替弁８２１〜８２４は、それぞれ２台の二方弁で構成してもよい。【０１３２】
（運転動作）
次に、本実施の形態５における空気調和装置１の運転動作について説明する。空気調和装置１の運転動作には、冷房運転モード、暖房運転モード、冷房主体運転モード及び暖房主体運転モードの４つのモードがある。【０１３３】
（冷房運転モード）
まず、冷房運転モードについて説明する。
図２２は、本発明の実施の形態５における空気調和装置の冷房運転モードの冷媒流れを表す冷媒回路図である。また、図２３は、この冷房運転モードでの熱源側冷媒の変遷を表すｐ−ｈ線図である。
なお、図２２では、太線で表された配管が冷媒の循環する配管を示す。そして、熱源側冷媒の流れ方向を実線の矢印で、利用側冷媒である水の流れ方向を破線の矢印で示す。また、図２３に示すａ〜ｄの冷媒状態は、それぞれ図２２にａ〜ｄで示す箇所での冷媒状態である。【０１３４】
室内ユニット３０１〜３０４の全てが冷房運転を行う場合、四方弁１２は、圧縮機１１から吐出された熱源側冷媒が室外熱交換器１３へ流れるように切り替わる。すなわち、中継部２０の第１冷媒分岐部２１から出た熱源側冷媒が、第１延長配管４１及び第１逆止弁５１を通って圧縮機１１に流入するように切り替わる。三方弁２６１及び２６２のそれぞれは、中間熱交換器２５１及び２５２のそれぞれが第１冷媒分岐部２１と連通するように切り替わる。第２冷媒流量制御装置２７１及び２７２のそれぞれは開度を絞る。開閉装置７０の開度は全開にする。第３冷媒流量制御装置６３は開度を全閉にする。【０１３５】
中継部２０の利用側冷媒流路切替部８０では、ポンプ２８１及び２８２の一方又は両方によって循環される利用側冷媒が第３延長配管４３１〜４３４を介して室内ユニット３０１〜３０４（室内熱交換器３１１〜３１４）へ供給されるように、第１切替弁８１１〜８１４を切り替える。また、室内ユニット３０１〜３０４から中継部２０に戻る利用側冷媒が中間熱交換器２５１及び２５２の一方又は両方へ戻るように、第２切替弁８２１〜８２４を切り替える。なお、両方のポンプ２８１及び２８２から供給される利用側冷媒が第１切替弁８１１〜８１４で合流して室内ユニット３０１〜３０４へ供給される場合には、第１切替弁８１１〜８１４は混合弁として動作する。また、室内ユニット３０１〜３０４から中継部２０に戻る利用側冷媒が第２切替弁８２１〜８２４で分岐して両方の中間熱交換器へ戻る場合には、第２切替弁８２１〜８２４は分配弁として動作する。図２２では、第１切替弁８１１〜８１４が混合弁として動作し、第２切替弁８２１〜８２４が分配弁として動作する場合を示している。この状態で、圧縮機１１とポンプ２８１及び２８２の運転を開始する。【０１３６】
熱源側冷媒回路Ａの流れについて説明する。低温低圧の蒸気状冷媒が圧縮機１１により圧縮され、高温高圧の冷媒となって吐出される。この圧縮機１１の冷媒圧縮過程は、周囲との熱の出入はないものとすると、図２３の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮液化し、高圧液状冷媒となる。室外熱交換器１３での冷媒の変化は、ほぼ圧力一定のもとで行われる。このときの冷媒変化は、室外熱交換器１３の圧力損失を考慮すると、図２３の点ｂからｃに示すやや傾いた水平に近い直線で表される。【０１３７】
室外熱交換器１３から出た高圧の液状冷媒は、第２逆止弁５２、第２延長配管４２及び開閉装置７０を通り、第２冷媒分岐部２２に流入する。第２冷媒分岐部２２に流入した高圧の液状冷媒は、第２冷媒分岐部２２で分岐され、第２冷媒流量制御装置２７１及び２７２に流入する。そして、高圧の液状冷媒は第２冷媒流量制御装置２７１及び２７２で絞られて膨張（減圧）し、低温低圧の気液二相状態になる。第２冷媒流量制御装置２７１及び２７２での冷媒の変化は、エンタルピ一定のもとで行われる。このときの冷媒変化は、図２３の点ｃからｄに示す垂直線で表される。【０１３８】
第２冷媒流量制御装置２７１及び２７２を出た低温低圧で気液二相状態の冷媒は、中間熱交換器２５１及び２５２にそれぞれ流入する。そして、中間熱交換器２５１及び２５２を流れる水から吸熱して、低温低圧の蒸気状冷媒となる。中間熱交換器２５１及び２５２での熱源側冷媒の変化は、ほぼ圧力一定のもとで行われる。このときの冷媒変化は、中間熱交換器２５１及び２５２の圧力損失を考慮すると、図２３の点ｄからａに示すやや傾いた水平に近い直線で表される。【０１３９】
中間熱交換器２５１及び２５２を出た低温低圧の蒸気状冷媒は、それぞれ三方弁２６１及び２６２を通り、第１冷媒分岐部２１に流入する。第１冷媒分岐部２１で合流した低温低圧の蒸気状冷媒は、第１延長配管４１、第１逆止弁５１及び四方弁１２を通って圧縮機１１に流入し、圧縮される。【０１４０】
続いて、利用側冷媒回路Ｂの冷媒流れについて説明する。
中間熱交換器２５１を流れる熱源側冷媒によって冷却された水は、ポンプ２８１を通って、利用側冷媒流路切替部８０に流入する。そして、この水は、分岐された後に第１切替弁８１１〜８１４に流入する。また、中間熱交換器２５２を流れる熱源側冷媒によって冷却された水は、ポンプ２８２を通って、利用側冷媒流路切替部８０に流入する。そして、この水は、分岐された後に第１切替弁８１１〜８１４に流入する。ポンプ２８１から第１切替弁８１１〜８１４に流入した水とポンプ２８２から第１切替弁８１１〜８１４に流入した水とは、第１切替弁８１１〜８１４で合流し、第３延長配管４３１〜４３４に流入する。【０１４１】
第３延長配管４３１〜４３４に流入した水は、室内熱交換器３１１〜３１４に流入する。そして、室内熱交換器３１１〜３１４において室内空気から吸熱し、室内ユニット３０１〜３０４が設けられた室内の冷房を行う。室内熱交換器３１１〜３１４を出た水は、第４延長配管を通り、第２切替弁８２１〜８２４に流入する。そして、第２切替弁８２１〜８２４で分岐され、中間熱交換器２５１及び２５２のそれぞれに流入する。【０１４２】
（暖房運転モード）
次に、暖房運転モードについて説明する。
図２４は、本発明の実施の形態５における空気調和装置の暖房運転モードの冷媒流れを表す冷媒回路図である。また、図２５は、この暖房運転モードでの熱源側冷媒の変遷を表すｐ−ｈ線図である。
なお、図２４では、太線で表された配管が冷媒の循環する配管を示す。そして、熱源側冷媒の流れ方向を実線の矢印で、利用側冷媒である水の流れ方向を破線の矢印で示す。また、図２５に示すａ〜ｄの冷媒状態は、それぞれ図２４にａ〜ｄで示す箇所での冷媒状態である。【０１４３】
室内ユニット３０１〜３０４の全てが暖房運転を行う場合、四方弁１２は、圧縮機１１から吐出された熱源側冷媒が、第４逆止弁５４及び第２延長配管４２を通って中継部２０の第３冷媒分岐部２３に流入するように切り替わる。すなわち、室外熱交換器１３から出た熱源側冷媒が圧縮機１１に流入するように切り替わる。三方弁２６１及び２６３のそれぞれは、中間熱交換器２５１及び２５２のそれぞれが第３冷媒分岐部２３と連通するように切り替わる。第２冷媒流量制御装置２７１及び２７２のそれぞれは開度を絞る。開閉装置７０は開度を全閉にする。第３冷媒流量制御装置６３は開度を全開にする。この状態で、圧縮機１１とポンプ２８１及び２８２の運転を開始する。【０１４４】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図２５の点ａからｂに示す等エントロピ線で表される。圧縮機１１から吐出された高温高圧の冷媒は、四方弁１２、第４逆止弁５４及び第２延長配管４２を通り、第３冷媒分岐部２３に流入する。第３冷媒分岐部２３に流入した高温高圧の冷媒は、第３冷媒分岐部２３で分岐され、三方弁２６１及び２６２を通って中間熱交換器２５１及び２５２にそれぞれ流入する。そして、中間熱交換器２５１及び２５２を流れる水に放熱しながら凝縮液化し、高圧の液状冷媒となる。このときの冷媒変化は、図２５の点ｂからｃに示すやや傾いた水平に近い直線で表される。【０１４５】
中間熱交換器２５１及び２５２を出た高圧の液状冷媒は、第２冷媒流量制御装置２７１及び２７２に流入する。そして、高圧の液状冷媒は第２冷媒流量制御装置２７１及び２７２で絞られて膨張（減圧）し、低温低圧の気液二相状態になる。このときの冷媒変化は、図２５の点ｃからｄに示す垂直線で表される。第２冷媒流量制御装置２７１及び２７２を出た低温低圧で気液二相状態の冷媒は、第２冷媒分岐部２２に流入する。第２冷媒分岐部２２で合流した気液二相状態の冷媒は、バイパス配管６２及び第３冷媒流量制御装置６３を通って第１冷媒分岐部２１（より詳しくは第１冷媒分岐部２１と第１延長配管４１とを接続する配管）に流入する。その後、第１延長配管４１及び第３逆止弁５３を通って室外熱交換器１３に流入する。そして、室外熱交換器１３で室外空気から吸熱して、低温低圧の蒸気状冷媒となる。このときの冷媒変化は、図２５の点ｄからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【０１４６】
続いて、利用側冷媒回路Ｂの冷媒流れについて説明する。
中間熱交換器２５１を流れる熱源側冷媒によって加熱された水は、ポンプ２８１を通って、利用側冷媒流路切替部８０に流入する。そして、この水は、分岐された後に第１切替弁８１１〜８１４に流入する。また、中間熱交換器２５２を流れる熱源側冷媒によって冷却された水は、ポンプ２８２を通って、利用側冷媒流路切替部８０に流入する。そして、この水は、分岐された後に第１切替弁８１１〜８１４に流入する。ポンプ２８１から第１切替弁８１１〜８１４に流入した水とポンプ２８２から第１切替弁８１１〜８１４に流入した水とは、第１切替弁８１１〜８１４で合流し、第３延長配管４３１〜４３４に流入する。【０１４７】
第３延長配管４３１〜４３４に流入した水は、室内熱交換器３１１〜３１４に流入する。そして、室内熱交換器３１１〜３１４において室内空気へ放熱し、室内ユニット３０１〜３０４が設けられた室内の暖房を行う。室内熱交換器３１１〜３１４を出た水は、第４延長配管を通り、第２切替弁８２１〜８２４に流入する。そして、第２切替弁８２１〜８２４で分岐され、中間熱交換器２５１及び２５２のそれぞれに流入する。【０１４８】
（冷房主体運転モード）
次に、冷房主体運転モードについて説明する。
図２６は、本発明の実施の形態５における空気調和装置の冷房主体運転モードの冷媒流れを表す冷媒回路図である。また、図２７は、この冷房主体運転モードでの熱源側冷媒の変遷を表すｐ−ｈ線図である。
なお、図２６では、太線で表された配管が冷媒の循環する配管を示す。そして、熱源側冷媒の流れ方向を実線の矢印で、利用側冷媒である水の流れ方向を破線の矢印で示す。また、図２７に示すａ〜ｆの冷媒状態は、それぞれ図２６にａ〜ｆで示す箇所での冷媒状態である。【０１４９】
図２６では、暖房運転を行なう紙面左側の１台の室内ユニット３０を室内ユニット３０１として図示している。また、冷房運転を行なう３台の室内ユニット３０を、紙面左側から２台目の室内ユニット３０から紙面右側の室内ユニット３０へ順に、室内ユニット３０２、室内ユニット３０３及び室内ユニット３０４として図示している。また、室内ユニット３０１〜３０４に応じて、それぞれに接続する第１切替弁を第１切替弁８１１〜第１切替弁８１４とし、それぞれに接続する第２切替弁を第２切替弁８２１〜第２切替弁８２４として図示している。【０１５０】
室内ユニット３０１が暖房運転を行い、室内ユニット３０２〜３０４が冷房運転を行う場合について説明する。四方弁１２は、圧縮機１１から吐出された熱源側冷媒が室外熱交換器１３へ流れるように切り替わる。すなわち、中継部２０の第１冷媒分岐部２１から出た熱源側冷媒が、第１延長配管４１及び第１逆止弁５１を通って圧縮機１１に流入するように切り替わる。三方弁２６１は、中間熱交換器２５１が第３冷媒分岐部２３と連通するように切り替わる。また、三方弁２６２は、中間熱交換器２５２が第１冷媒分岐部２１と連通するように切り替わる。第２冷媒流量制御装置２７１及び２７２は開度を絞る。開閉装置７０の開度は全閉にする。第３冷媒流量制御装置６３は開度を全閉にする。【０１５１】
中継部２０の利用側冷媒流路切替部８０では、第１切替弁８１１及び第２切替弁８２１を、中間熱交換器２５１と室内ユニット３０１（室内熱交換器３１１）との間を利用側冷媒が循環するように切り替える。また、第１切替弁８１２〜８１４及び第２切替弁８２２〜８２４を、中間熱交換器２５２と室内ユニット３０２〜３０４（室内熱交換器３１２〜３１４）との間を利用側冷媒が循環するように切り替える。この状態で、圧縮機１１とポンプ２８１及び２８２の運転を開始する。【０１５２】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図２７の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮して、高圧で気液二相状態の冷媒となる。このときの冷媒変化は、図２７の点ｂからｃに示すやや傾いた水平に近い直線で表される。【０１５３】
室外熱交換器１３から出た高圧で気液二相状態の冷媒は、第２逆止弁５２及び第２延長配管４２を通り、第３冷媒分岐部２３に流入する。第３冷媒分岐部２３に流入した高圧で気液二相状態の冷媒は、三方弁２６１を通り中間熱交換器２５１に流入する。そして、中間熱交換器２５１を流れる水に放熱しながら凝縮して、液状の冷媒となる。このときの冷媒変化は、図２７の点ｃからｄに示すやや傾いた水平に近い直線で表される。中間熱交換器２５１を出た冷媒は、第２冷媒流量制御装置２７１で絞られて膨張（減圧）し、第２冷媒分岐部２２に流入する。このときの冷媒変化は、図２７の点ｄからｅに示す垂直線で表される。【０１５４】
第２冷媒分岐部２２に流入した冷媒は、第２冷媒流量制御装置２７２に流入する。そして、第２冷媒流量制御装置２７２でさらに絞られて膨張（減圧）し、低温低圧の気液二相状態になる。このときの冷媒変化は、図２７の点ｅからｆに示す垂直線で表される。第２冷媒流量制御装置２７２を出た低温低圧で気液二相状態の冷媒は、中間熱交換器２５２に流入する。そして、中間熱交換器２５２を流れる水から吸熱して、低温低圧の蒸気状冷媒となる。このときの冷媒変化は、図２７の点ｆからａに示すやや傾いた水平に近い直線で表される。【０１５５】
中間熱交換器２５２を出た低温低圧の蒸気状冷媒は、三方弁２６２を通り、第１冷媒分岐部２１に流入する。第１冷媒分岐部２１に流入した低温低圧の蒸気状冷媒は、第１延長配管４１、第１逆止弁５１及び四方弁１２を通って圧縮機１１に流入し、圧縮される。【０１５６】
次に、利用側冷媒回路Ｂにおける利用側冷媒の流れについて説明する。
まず、室内ユニット３０１に暖房運転を実行させる際の利用側冷媒の流れについて説明してから、室内ユニット３０２〜室内ユニット３０４に冷房運転を実行させる際の利用側冷媒の流れについて説明する。【０１５７】
中間熱交換器２５１で熱源側冷媒によって加熱された水は、ポンプ２８１によって利用側冷媒流路切替部８０に流入する。利用側冷媒流路切替部８０に流入した水は、第１切替弁８１１に接続されている第３延長配管４３１を通り、室内ユニット３０１の室内熱交換器３１１に流入する。そして、室内熱交換器３１１において室内空気に放熱し、室内ユニット３０１が設置されている室内等の空調対象域の暖房を行なう。その後、室内熱交換器３１１から流出した水は、室内ユニット３０１から流出して第４延長配管４４１を通り、利用側冷媒流路切替部８０（第２切替弁８２１）に流入する。第２切替弁８２１に流入した水は、中間熱交換器２５１に再流入する。【０１５８】
一方、中間熱交換器２５２で熱源側冷媒によって冷却された水は、ポンプ２８２によって利用側冷媒流路切替部８０に流入する。利用側冷媒流路切替部８０に流入した水は、分岐した後、第１切替弁８１２〜第１切替弁８１４のそれぞれに接続されている第３延長配管４３２〜４３４を通り、室内ユニット３０２〜室内ユニット３０４の室内熱交換器３１２〜３１４に流入する。そして、室内熱交換器３１２〜３１４において室内空気から吸熱し、室内ユニット３０２〜室内ユニット３０４が設置されている室内等の空調対象域の冷房を行なう。その後、室内熱交換器３１２〜３１４から流出した水は、室内ユニット３０２〜室内ユニット３０４から流出して第４延長配管４４２〜４４４を通り、利用側冷媒流路切替部８０（第２切替弁８２２〜第２切替弁８２４）に流入する。第２切替弁８２２〜第２切替弁８２４に流入した水は、利用側冷媒流路切替部８０で合流した後、中間熱交換器２５２に再流入する。【０１５９】
（暖房主体運転モード）
次に、暖房主体運転モードについて説明する。
図２８は、本発明の実施の形態５における空気調和装置の暖房主体運転モードの冷媒流れを表す冷媒回路図である。また、図２９は、この暖房運転モードでの熱源側冷媒の変遷を表すｐ−ｈ線図である。
なお、図２８では、太線で表された配管が冷媒の循環する配管を示す。そして、熱源側冷媒の流れ方向を実線の矢印で、利用側冷媒である水の流れ方向を破線の矢印で示す。また、図２９に示すａ〜ｈの冷媒状態は、それぞれ図２８にａ〜ｈで示す箇所での冷媒状態である。【０１６０】
室内ユニット３０１〜３０３が暖房運転を行い、室内ユニット３０４が冷房運転を行う場合について説明する。四方弁１２は、圧縮機１１から吐出された熱源側冷媒が、第４逆止弁５４及び第２延長配管４２を通って中継部２０の第３冷媒分岐部２３に流入するように切り替わる。すなわち、室外熱交換器１３から出た熱源側冷媒が圧縮機１１に流入するように切り替わる。三方弁２６１は、中間熱交換器２５１が第３冷媒分岐部２３と連通するように切り替わる。また、三方弁２６２は、中間熱交換器２５２が第１冷媒分岐部２１と連通するように切り替わる。第２冷媒流量制御装置２７１及び２７２は開度を絞る。開閉装置７０の開度は全閉にする。第３冷媒流量制御装置６３は、第２冷媒分岐部２２に流入してきた熱源側冷媒の一部がバイパス配管６２に流れるように開度を絞る。この状態で、圧縮機１１とポンプ２８１及び２８２の運転を開始する。【０１６１】
中継部２０の利用側冷媒流路切替部８０では、第１切替弁８１１〜８１３及び第２切替弁８２１〜８２３を、中間熱交換器２５１と室内ユニット３０１〜３０３（室内熱交換器３１１〜３１３）との間をそれぞれ利用側冷媒が循環するように切り替える。また、第１切替弁８１４及び第２切替弁８２４を、中間熱交換器２５２と室内ユニット３０４（室内熱交換器３１４）との間を利用側冷媒が循環するように切り替える。この状態で、圧縮機１１とポンプ２８１及び２８２の運転を開始する。【０１６２】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図２９の点ａからｂに示す等エントロピ線で表される。圧縮機１１から吐出された高温高圧の冷媒は、四方弁１２、第４逆止弁５４、及び第２延長配管４２を通り、第３冷媒分岐部２３に流入する。第３冷媒分岐部２３に流入した高温高圧の冷媒は、三方弁２６１を通って中間熱交換器２５１に流入する。そして、中間熱交換器２５１を流れる水に放熱しながら凝縮液化し、高圧の液状冷媒となる。このときの冷媒変化は、図２９の点ｂからｃに示すやや傾いた水平に近い直線で表される。【０１６３】
中間熱交換器２５１を出た高圧の液状冷媒は、第２冷媒流量制御装置２７１で絞られて膨張（減圧）し、第２冷媒分岐部２２に流入する。このときの冷媒変化は、図２９の点ｃから点ｄに示す垂直線で表される。【０１６４】
中間熱交換器２５１から第２冷媒分岐部２２に流入した高圧の液状冷媒冷媒の一部は、第２冷媒流量制御装置２７２に流入する。そして、第２冷媒流量制御装置２７２で絞られてさらに膨張（減圧）し、低温低圧の気液二相状態になる。このときの冷媒変化は、図２９の点ｄからｅに示す垂直線で表される。第２冷媒流量制御装置２７２を出た低温低圧で気液二相状態の冷媒は、中間熱交換器２５２に流入する。そして、中間熱交換器２５２を流れる水から吸熱して、低温低圧の蒸気状冷媒となる。このときの冷媒変化は、図２９の点ｅからｆに示すやや傾いた水平に近い直線で表される。中間熱交換器２５２を出た低温低圧の蒸気状冷媒は、三方弁２６２を通り第１冷媒分岐部２１に流入する。【０１６５】
一方、中間熱交換器２５１から第２冷媒分岐部２２に流入した高圧の液状冷媒の残りは、第３冷媒流量制御装置６３に流入する。そして、高圧の液状冷媒は第３冷媒流量制御装置６３で絞られて膨張（減圧）し、低温低圧の気液二相状態になる。このときの冷媒変化は、図２９の点ｄからｇに示す垂直線で表される。第３冷媒流量制御装置６３を出た低温低圧で気液二相状態の冷媒は、第１冷媒分岐部２１（より詳しくは第１冷媒分岐部２１と第１延長配管４１とを接続する配管）に流入し、中間熱交換器２５２から流出した低温低圧の蒸気状冷媒と合流する（点ｈ）。【０１６６】
第１冷媒分岐部２１を出た低温低圧で気液二相状態の冷媒は、第１延長配管４１及び第３逆止弁５３を通って室外熱交換器１３に流入する。そして、室外熱交換器１３で室外空気から吸熱して、低温低圧の蒸気状冷媒となる。このときの冷媒変化は、図２９の点ｈからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【０１６７】
次に、利用側冷媒回路Ｂにおける利用側冷媒の流れについて説明する。
まず、室内ユニット３０１〜３０３に暖房運転を実行させる際の利用側冷媒の流れについて説明してから、室内ユニット３０４に冷房運転を実行させる際の利用側冷媒の流れについて説明する。【０１６８】
中間熱交換器２５１で熱源側冷媒によって加熱された水は、ポンプ２８１によって利用側冷媒流路切替部８０に流入する。利用側冷媒流路切替部８０に流入した水は、分岐した後、第１切替弁８１１〜８１３のそれぞれに接続されている第３延長配管４３１〜４３３を通り、室内ユニット３０１〜３０３の室内熱交換器３１１〜３１３に流入する。そして、室内熱交換器３１１〜３１３において室内空気に放熱し、室内ユニット３０１〜３０３が設置されている室内等の空調対象域の暖房を行なう。その後、室内熱交換器３１１〜３１３から流出した水は、室内ユニット３０１〜３０３から流出して第４延長配管４４１〜４４３を通り、利用側冷媒流路切替部８０（第２切替弁８２１〜第２切替部８２３）に流入する。第２切替弁８２１〜第２切替部８２３に流入した水は、利用側冷媒流路切替部８０で合流した後、中間熱交換器２５１に再流入する。【０１６９】
一方、中間熱交換器２５２で熱源側冷媒によって冷却された水は、ポンプ２８２によって利用側冷媒流路切替部８０に流入する。利用側冷媒流路切替部８０に流入した利用側冷媒は、第１切替弁８１４に接続されている第３延長配管４３４を通り、室内ユニット３０４の室内熱交換器３１４に流入する。そして、室内熱交換器３１４において室内空気から吸熱し、室内ユニット３０４が設置されている室内等の空調対象域の冷房を行なう。その後、室内熱交換器３１４から流出した水は、室内ユニット３０４から流出して第４延長配管４４４を通り、利用側冷媒流路切替部８０（第２切替弁８２４）に流入する。第２切替弁８２４に流入した水は、中間熱交換器２５２に再流入する。【０１７０】
このように構成された空気調和装置１は、実施の形態１と同様の効果が得られる。さらに、室内ユニット３０ｎの台数や個々の室内ユニット３０ｎの冷暖房能力に関係なく、ポンプ２８ｎ及び中間熱交換器２５ｎの台数、ポンプ２８ｎの流量及び揚程、中間熱交換器２５ｎの熱交換能力等を決めることができる。このため、中継部２０の小型化が可能となり、高効率なポンプ２８ｎや中間熱交換器２５ｎを利用することができる。
また、冷房運転又は暖房運転の際に、中間熱交換器２５１及び中間熱交換器２５２の両方（複数の中間熱交換器２５ｎ）を利用して冷却又は加熱された水を室内ユニット３０ｎに供給でき、空気調和装置１の効率が向上する。【０１７１】
なお、水流路切替弁である第１切替弁８１１〜８１４及び第２切替弁８２１〜８２４として三方弁を設けたが、第１切替弁８１１〜８１４及び第２切替弁８２１〜８２４は、それぞれ２台の二方弁で構成してもよい。【０１７２】
実施の形態６．
図３０は、本発明の実施の形態６における空気調和装置の冷媒回路図である。本実施の形態における空気調和装置１は、実施の形態５における空気調和装置１の構成に、第２冷媒流路切替部９０、熱交換器９３、第２バイパス配管９４及び第４冷媒分岐部９５が追加されている。【０１７３】
熱交換器９３は、開閉装置７０と第２冷媒分岐部２２との間に設けられている。この熱交換器９３は、開閉装置７０から第２冷媒分岐部２２へ流れる熱源側冷媒とバイパス配管６２を流れる熱源側冷媒との間で熱交換を行わせるものである。このとき、バイパス配管６２は、熱交換器９３と第２冷媒分岐部２２との間に接続されている。また、第３冷媒流量制御装置６３は、熱交換器９３の冷媒流れ上流側におけるバイパス配管６２に設けられている。【０１７４】
開閉装置７０と熱交換器９３との間には、第２バイパス配管９４を介して第４冷媒分岐部９５が接続されている。この第４冷媒分岐部９５と第２冷媒分岐部２２は、第２冷媒流路切替部９０を介して第２冷媒流量制御装置２７１及び２７２のそれぞれと接続されている。より具体的には、第２冷媒流路切替部９０には、複数の第５逆止弁９１ｎ（本実施の形態６では２個）及び複数の第６逆止弁９２ｎ（本実施の形態６では２個）が備えられている。第５逆止弁９１１及び９１２のそれぞれは、第４冷媒分岐部９５と第２冷媒流量制御装置２７１及び２７２のそれぞれとを接続する配管に設けられており、熱源側冷媒は第４冷媒分岐部９５の方向にのみ流れるようになっている。第６逆止弁９２１及び９２２のそれぞれは、第２冷媒分岐部２２と第２冷媒流量制御装置２７１及び２７２のそれぞれとを接続する配管に設けられており、熱源側冷媒は第２冷媒流量制御装置２７１及び２７２の方向にのみ流れるようになっている。【０１７５】
（運転動作）
次に、本実施の形態６における空気調和装置１の運転動作について説明する。空気調和装置１の運転動作には、冷房運転モード、暖房運転モード、冷房主体運転モード及び暖房主体運転モードの４つのモードがある。【０１７６】
（冷房運転モード）
まず、冷房運転モードについて説明する。
図３１は、本発明の実施の形態６における空気調和装置の冷房運転モードの冷媒流れを表す冷媒回路図である。また、図３２は、この冷房運転モードでの熱源側冷媒の変遷を表すｐ−ｈ線図である。
なお、図３１では、太線で表された配管が冷媒の循環する配管を示す。そして、熱源側冷媒の流れ方向を実線の矢印で、利用側冷媒である水の流れ方向を破線の矢印で示す。また、図３２に示すａ〜ｄの冷媒状態は、それぞれ図３１にａ〜ｄで示す箇所での冷媒状態である。【０１７７】
室内ユニット３０１〜３０４の全てが冷房運転を行う場合、四方弁１２、三方弁２６１及び２６２、第２冷媒流量制御装置２７１及び２７２、開閉装置７０、第３冷媒流量制御装置６３、利用側冷媒流路切替部８０の第１切替弁８１１〜８１４及び第２切替弁８２１〜８２４、圧縮機１１、並びにポンプ２８１及び２８２の各動作は、実施の形態５の冷房運転モードと同様につき、説明を省略する。【０１７８】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、周囲との熱の出入はないものとすると、図３２の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮液化し、高圧液状冷媒となる。室外熱交換器１３での冷媒の変化は、ほぼ圧力一定のもとで行われる。このときの冷媒変化は、室外熱交換器１３の圧力損失を考慮すると、図３２の点ｂからｃに示すやや傾いた水平に近い直線で表される。【０１７９】
室外熱交換器１３から出た高圧の液状冷媒は、第２逆止弁５２、第２延長配管４２、開閉装置７０及び熱交換器９３を通り、第２冷媒分岐部２２に流入する。第２冷媒分岐部２２に流入した高圧の液状冷媒は、第２冷媒分岐部２２で分岐され、第６逆止弁９２１及び９２２を通り、第２冷媒流量制御装置２７１及び２７２に流入する。そして、高圧の液状冷媒は第２冷媒流量制御装置２７１及び２７２で絞られて膨張（減圧）し、低温低圧の気液二相状態になる。第２冷媒流量制御装置２７１及び２７２での冷媒の変化は、エンタルピ一定のもとで行われる。このときの冷媒変化は、図３２の点ｃからｄに示す垂直線で表される。【０１８０】
第２冷媒流量制御装置２７１及び２７２を出た低温低圧で気液二相状態の冷媒は、中間熱交換器２５１及び２５２にそれぞれ流入する。そして、中間熱交換器２５１及び２５２を流れる水から吸熱して、低温低圧の蒸気状冷媒となる。中間熱交換器２５１及び２５２での熱源側冷媒の変化は、ほぼ圧力一定のもとで行われる。このときの冷媒変化は、中間熱交換器２５１及び２５２の圧力損失を考慮すると、図３２の点ｄからａに示すやや傾いた水平に近い直線で表される。【０１８１】
中間熱交換器２５１及び２５２を出た低温低圧の蒸気状冷媒は、それぞれ三方弁２６１及び２６２を通り、第１冷媒分岐部２１に流入する。第１冷媒分岐部２１で合流した低温低圧の蒸気状冷媒は、第１延長配管４１、第１逆止弁５１及び四方弁１２を通って圧縮機１１に流入し、圧縮される。
なお、利用側冷媒回路Ｂの冷媒流れは実施の形態５の冷房運転モードと同様につき説明を省略する。【０１８２】
（暖房運転モード）
次に、暖房運転モードについて説明する。
図３３は、本発明の実施の形態６における空気調和装置の暖房運転モードの冷媒流れを表す冷媒回路図である。また、図３４は、この暖房運転モードでの熱源側冷媒の変遷を表すｐ−ｈ線図である。
なお、図３３では、太線で表された配管が冷媒の循環する配管を示す。そして、熱源側冷媒の流れ方向を実線の矢印で、利用側冷媒である水の流れ方向を破線の矢印で示す。また、図３４に示すａ〜ｄの冷媒状態は、それぞれ図３３にａ〜ｄで示す箇所での冷媒状態である。【０１８３】
室内ユニット３０１〜３０４の全てが暖房運転を行う場合、四方弁１２、三方弁２６１及び２６２、第２冷媒流量制御装置２７１及び２７２、開閉装置７０、第３冷媒流量制御装置６３、利用側冷媒流路切替部８０の第１切替弁８１１〜８１４及び第２切替弁８２１〜８２４、圧縮機１１、並びにポンプ２８１及び２８２の各動作は、実施の形態５の暖房運転モードと同様につき説明を省略する。【０１８４】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図３４の点ａからｂに示す等エントロピ線で表される。圧縮機１１から吐出された高温高圧の冷媒は、四方弁１２、第４逆止弁５４及び第２延長配管４２を通り、第３冷媒分岐部２３に流入する。第３冷媒分岐部２３に流入した高温高圧の冷媒は、第３冷媒分岐部２３で分岐され、三方弁２６１及び２６２を通って中間熱交換器２５１及び２５２にそれぞれ流入する。そして、中間熱交換器２５１及び２５２を流れる水に放熱しながら凝縮液化し、高圧の液状冷媒となる。このときの冷媒変化は、図３４の点ｂからｃに示すやや傾いた水平に近い直線で表される。【０１８５】
中間熱交換器２５１及び２５２を出た高圧の液状冷媒は、第２冷媒流量制御装置２７１及び２７２に流入する。そして、高圧の液状冷媒は第２冷媒流量制御装置２７１及び２７２で絞られて膨張（減圧）し、低温低圧の気液二相状態になる。このときの冷媒変化は、図３４の点ｃからｄに示す垂直線で表される。第２冷媒流量制御装置２７１及び２７２を出た低温低圧で気液二相状態の冷媒は、第５逆止弁９１１及び９１２を通り、第４冷媒分岐部９５に流入する。第４冷媒分岐部９５で合流した気液二相状態の冷媒は、第２バイパス配管９４を通り、熱交換器９３に流入する。そして、バイパス配管６２及び第３冷媒流量制御装置６３を通って第１冷媒分岐部２１（より詳しくは第１冷媒分岐部２１と第１延長配管４１とを接続する配管）に流入する。【０１８６】
第１冷媒分岐部２１に流入した低温低圧で気液二相状態の冷媒は、第１延長配管４１及び第３逆止弁５３を通って室外熱交換器１３に流入する。そして、室外熱交換器１３に流入した低温低圧で気液二相状態の冷媒は、室外熱交換器１３で室外空気から吸熱して、低温低圧の蒸気状冷媒となる。このときの冷媒変化は、図３４の点ｄからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。なお、利用側冷媒回路Ｂの冷媒流れについては実施の形態５の暖房運転モードと同様につき説明を省略する。【０１８７】
（冷房主体運転モード）
次に、冷房主体運転モードについて説明する。
図３５は、本発明の実施の形態６における空気調和装置の冷房主体運転モードの冷媒流れを表す冷媒回路図である。また、図３６は、この冷房主体運転モードでの熱源側冷媒の変遷を表すｐ−ｈ線図である。
なお、図３５では、太線で表された配管が冷媒の循環する配管を示す。そして、熱源側冷媒の流れ方向を実線の矢印で、利用側冷媒である水の流れ方向を破線の矢印で示す。また、図３６に示すａ〜ｈの冷媒状態は、それぞれ図３５にａ〜ｈで示す箇所での冷媒状態である。【０１８８】
室内ユニット３０１が暖房運転を行い、室内ユニット３０２〜３０４が冷房運転を行う場合、第３冷媒流量制御装置６３の開度を絞る。なお、四方弁１２、三方弁２６１及び２６２、第２冷媒流量制御装置２７１及び２７２、開閉装置７０、利用側冷媒流路切替部８０の第１切替弁８１１〜８１４及び第２切替弁８２１〜８２４、圧縮機１１、並びにポンプ２８１及び２８２の各動作は、実施の形態５の冷房主体運転モードと同様につき説明を省略する。【０１８９】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図３６の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮して、高圧で気液二相状態の冷媒となる。このときの冷媒変化は、図３６の点ｂからｃに示すやや傾いた水平に近い直線で表される。【０１９０】
室外熱交換器１３から出た高圧で気液二相状態の冷媒は、第２逆止弁５２及び第２延長配管４２を通り、第３冷媒分岐部２３に流入する。第３冷媒分岐部２３に流入した高圧で気液二相状態の冷媒は、三方弁２６１を通り中間熱交換器２５１に流入する。そして、中間熱交換器２５１を流れる水に放熱しながら凝縮して、液状の冷媒となる。このときの冷媒変化は、図３６の点ｃからｄに示すやや傾いた水平に近い直線で表される。中間熱交換器２５１を出た冷媒は、第２冷媒流量制御装置２７１で絞られて膨張（減圧）し、気液二相状態の冷媒に変化する。このときの冷媒変化は、図３６の点ｄからｅに示す垂直線で表される。【０１９１】
第２冷媒流量制御装置２７１を出た気液二相状態の冷媒は、第５逆止弁９１１を通り、第４冷媒分岐部９５に流入する。第４冷媒分岐部９５に流入した気液二相状態の冷媒は、第２バイパス配管９４を通り、熱交換器９３に流入する。そして、バイパス配管６２を流れる低温低圧の冷媒により冷却され、液状の冷媒に変化する。このときの冷媒変化は図３６の点ｅから点ｆに示すやや傾いた水平に近い直線で表される。【０１９２】
熱交換器９３を出た液状の冷媒の一部は、バイパス配管６２に流入して第３冷媒流量制御装置６３で減圧され、低温低圧の気液二相状態の冷媒に変化する。このときの冷媒の変化は図３６の点ｆから点ｈに示す垂直線で表される。この冷媒は、熱交換器９３に流入する。そして、第２バイパス配管９４から流入した冷媒により加熱されて蒸発し、低温低圧の蒸気状の冷媒に変化する。このときの冷媒の変化は図３６の点ｈから点ａに示すやや傾いた水平に近い直線で表される。【０１９３】
一方、バイパス配管６２に流入しなかった残りの冷媒は、第２冷媒分岐部２２に流入する。第２冷媒分岐部２２に流入した冷媒は、第６逆止弁９２２を通り、第２冷媒流量制御装置２７２に流入する。そして、第２冷媒流量制御装置２７２で、さらに絞られて膨張（減圧）し、低温低圧の気液二相状態になる。このときの冷媒変化は、図３６の点ｆからｇに示す垂直線で表される。中間熱交換器２５２を出た低温低圧の蒸気状冷媒は、三方弁２６２を通り、第１冷媒分岐部２１に流入する。第１冷媒分岐部２１に流入した低温低圧の蒸気状冷媒は、バイパス配管６２を流れる冷媒と合流する。そして、第１延長配管４１、第１逆止弁５１及び四方弁１２を通って圧縮機１１に流入し、圧縮される。
利用側冷媒回路Ｂにおける利用側冷媒の流れは実施の形態５の冷房主体運転モードと同様につき説明を省略する。【０１９４】
（暖房主体運転モード）
次に、暖房主体運転モードについて説明する。
図３７は、本発明の実施の形態５における空気調和装置の暖房主体運転モードの冷媒流れを表す冷媒回路図である。また、図３８は、この暖房運転モードでの熱源側冷媒の変遷を表すｐ−ｈ線図である。
なお、図３７では、太線で表された配管が冷媒の循環する配管を示す。そして、熱源側冷媒の流れ方向を実線の矢印で、利用側冷媒である水の流れ方向を破線の矢印で示す。また、図３８に示すａ〜ｊの冷媒状態は、それぞれ図３７にａ〜ｊで示す箇所での冷媒状態である。【０１９５】
室内ユニット３０１〜３０３が暖房運転を行い、室内ユニット３０４が冷房運転を行う場合について説明する。なお、四方弁１２、三方弁２６１及び２６２、第２冷媒流量制御装置２７１及び２７２、開閉装置７０、第３冷媒流量制御装置６３、利用側冷媒流路切替部８０の第１切替弁８１１〜８１４及び第２切替弁８２１〜８２４、圧縮機１１、並びにポンプ２８１及び２８２の各動作は、実施の形態５の暖房主体運転モードと同様につき説明を省略する。【０１９６】
熱源側冷媒回路Ａの冷媒流れについて説明する。低温低圧の蒸気状冷媒が圧縮機１１により圧縮され、高温高圧の冷媒となって吐出される。この圧縮機１１の冷媒圧縮過程は、図３８の点ａからｂに示す等エントロピ線で表される。圧縮機１１から吐出された高温高圧の冷媒は、四方弁１２、第４逆止弁５４、及び第２延長配管４２を通り、第３冷媒分岐部２３に流入する。第３冷媒分岐部２３に流入した冷媒は三方弁２６１を通り中間熱交換器２５１に流入する。そして、中間熱交換器２５１を流れる水に放熱しながら凝縮して、液状の冷媒となる。このときの冷媒変化は、図３８の点ｂからｃに示すやや傾いた水平に近い直線で表される。【０１９７】
中間熱交換器２５１を出た冷媒は、第２冷媒流量制御装置２７１で絞られて膨張（減圧）し、気液二相状態の冷媒に変化する。このときの冷媒変化は、図３８の点ｃからｄに示す垂直線で表される。第２冷媒流量制御装置２７１を出た気液二相状態の冷媒は、第５逆止弁９１１を通り、第４冷媒分岐部９５に流入する。第４冷媒分岐部９５に流入した気液二相状態の冷媒は、第２バイパス配管９４を通り、熱交換器９３に流入する。そして、バイパス配管６２を流れる低温低圧の冷媒により冷却され、液状の冷媒に変化する。このときの冷媒変化は図３８の点ｄから点ｅに示すやや傾いた水平に近い直線で表される。【０１９８】
熱交換器９３を出た液状の冷媒の一部は、バイパス配管６２に流入して第３冷媒流量制御装置６３で減圧され、低温低圧の気液二相状態の冷媒に変化する。このときの冷媒の変化は図３８の点ｅから点ｈに示す垂直線で表される。この冷媒は、熱交換器９３に流入する。そして、第２バイパス配管９４から流入した冷媒により加熱されて蒸発し、乾き度の高い気液二相状態の冷媒となる。このときの冷媒の変化は図３８の点ｈから点ｉに示すやや傾いた水平に近い直線で表される。【０１９９】
一方、バイパス配管に流入しなかった残りの冷媒は、第２冷媒分岐部２２に流入する。第２冷媒分岐部２２に流入した冷媒は、第６逆止弁９２２を通り、第２冷媒流量制御装置２７２に流入する。そして、第２冷媒流量制御装置２７２で、さらに絞られて膨張（減圧）し、低温低圧の気液二相状態になる。このときの冷媒変化は、図３８の点ｅからｆに示す垂直線で表される。第２冷媒流量制御装置２７２を出た低温低圧で気液二相状態の冷媒は、中間熱交換器２５２に流入する。そして、中間熱交換器２５２を流れる水から吸熱して、低温低圧の蒸気状冷媒となる。このときの冷媒変化は、図３８の点ｆからｇに示すやや傾いた水平に近い直線で表される。中間熱交換器２５２を出た低温低圧の蒸気状冷媒は、三方弁２６２を通り、第１冷媒分岐部２１に流入する。第１冷媒分岐部２１に流入した低温低圧の蒸気状冷媒は、バイパス配管６２から流入する冷媒と合流して気液二相状態の冷媒に変化する（点ｊ）。【０２００】
第１冷媒分岐部２１を出た低温低圧で気液二相状態の冷媒は、第１延長配管４１及び第３逆止弁５３を通って室外熱交換器１３に流入する。そして、室外熱交換器１３で室外空気から吸熱して、低温低圧の蒸気状冷媒となる。このときの冷媒変化は、図３８の点ｊからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。
利用側冷媒回路Ｂにおける利用側冷媒の流れは実施の形態５と同様につき説明を省略する。【０２０１】
このように構成した空気調和装置１によれば、実施の形態５と同様の効果を得ることができる。さらに、冷房主体運転および暖房主体運転においては、中間熱交換器２５１から流出した熱源側冷媒は、液状の冷媒に変化した後に第２冷媒流量制御装置２７２に流入する。より詳しくは、中間熱交換器２５１から流出した熱源側冷媒は、第２冷媒流量制御装置２７１で減圧（膨張）した後、第５逆止弁９１１、第４冷媒分岐部９５、第２バイパス配管９４を通り、熱交換器９３に流入する。そして、バイパス配管６２を流れる低温低圧の気液二相状態の冷媒によって冷却されて液状の冷媒に変化し、第２冷媒流量制御装置２７２に流入する。これにより、気液二相状態の冷媒が第２冷媒流量制御装置２７２に流入することを防ぐことができる。したがって、第２冷媒流量制御装置２７２では、気液二相状態の冷媒が流入する際に生じる圧力振動を発生させることなく冷媒を減圧できるので、冷媒の状態が安定する。つまり、配管振動や騒音を低減できる効果が得られる。
【図１】
2009133640.tif 000003
【図２】
2009133640.tif 000004
【図３】
2009133640.tif 000005
【図４】
2009133640.tif 000006
【図５】
2009133640.tif 000007
【図６】
2009133640.tif 000008
【図７】
2009133640.tif 000009
【図８】
2009133640.tif 000010
【図９】
2009133640.tif 000011
【図１０】
2009133640.tif 000012
【図１１】
2009133640.tif 000013
【図１２】
2009133640.tif 000014
【図１３】
2009133640.tif 000015
【図１４】
2009133640.tif 000016
【図１５】
2009133640.tif 000017
【図１６】
2009133640.tif 000018
【図１７】
2009133640.tif 000019
【図１８】
2009133640.tif 000020
【図１９】
2009133640.tif 000021
【図２０】
2009133640.tif 000022
【図２１】
2009133640.tif 000023
【図２２】
2009133640.tif 000024
【図２３】
2009133640.tif 000025
【図２４】
2009133640.tif 000026
【図２５】
2009133640.tif 000027
【図２６】
2009133640.tif 000028
【図２７】
2009133640.tif 000029
【図２８】
2009133640.tif 000030
【図２９】
2009133640.tif 000031
【図３０】
2009133640.tif 000032
【図３１】
2009133640.tif 000033
【図３２】
2009133640.tif 000034
【図３３】
2009133640.tif 000035
【図３４】
2009133640.tif 000036
【図３５】
2009133640.tif 000037
【図３６】
2009133640.tif 000038
【図３７】
2009133640.tif 000039
【図３８】
2009133640.tif 000040
【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
圧縮機の一端に一端が接続される室外熱交換器、前記圧縮機の他端に接続される第１冷媒分岐部、前記室外熱交換器の他端と分岐配管を介して接続された第２冷媒分岐部及び第３冷媒分岐部、前記第２冷媒分岐部の中を流れる熱源側冷媒の流量を制御する第１冷媒流量制御装置、一方が第１冷媒流路切替装置を介して前記第１冷媒分岐部及び前記第３冷媒分岐部に接続され、他方が前記第２冷媒分岐部に接続された複数の中間熱交換器、並びに該中間熱交換器のそれぞれと前記第２冷媒分岐部との間を流れる前記熱源側冷媒の流量を制御する複数の第２冷媒流量制御装置を有する熱源側冷媒回路と、
前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された室内熱交換器を有する複数の利用側冷媒回路と、
を備え、
前記圧縮機及び前記室外熱交換器は室外ユニットに設けられ、
前記第１冷媒分岐部、前記分岐配管、前記第２冷媒分岐部、前記第３冷媒分岐部、前記第１冷媒流量制御装置、前記中間熱交換器、前記第１冷媒流路切替装置、前記第２冷媒流量制御装置、及び前記循環装置は中継部に設けられ、
前記室内熱交換器は室内ユニットに設けられ、
複数の前記利用側冷媒回路のうち、少なくとも１つの前記利用側冷媒回路には、利用側冷媒として水及び不凍液の少なくとも一方が循環することを特徴とする空気調和装置。
【請求項２】
前記室外ユニットには、
前記圧縮機の吐出側に設けられ、前記熱源側冷媒回路を、前記圧縮機が吐出する前記熱源側冷媒が前記第１冷媒分岐部に流入し、前記室外熱交換器から流出する回路と、前記圧縮機が吐出する前記熱源側冷媒が前記室外熱交換器に流入し、前記第１冷媒分岐部から流出する回路とに切り替える第２冷媒流路切替装置が設けられていることを特徴とする請求項１に記載の空気調和装置。
【請求項３】
前記室外ユニットには、
前記第２冷媒流路切替装置と前記第１冷媒分岐部との間に設けられ、前記第２冷媒流路切替装置の方向にのみ前記熱源側冷媒が流れる第１逆止弁と、前記室外熱交換器と前記分岐配管との間に設けられ、前記分岐配管の方向にのみ前記熱源側冷媒が流れる第２逆止弁と、前記第１逆止弁の流入側と前記第２逆止弁の流入側とを接続する配管に設けられ、前記第２逆止弁の流入側にのみ前記熱源側冷媒が流れる第３逆止弁と、前記第１逆止弁の流出側と前記第２逆止弁の流出側とを接続する配管に設けられ、前記第２逆止弁の流出側にのみ前記熱源側冷媒が流れる第４逆止弁とを備えた第３冷媒流路切替装置が設けられ、
前記中継部には、
前記第１冷媒分岐部と前記第２冷媒分岐部とを接続するバイパス配管と、
該バイパス配管に設けられた第３冷媒流量制御装置と、
が設けられていることを特徴とする請求項２に記載の空気調和装置。
【請求項４】
前記分岐配管に、前記熱源側冷媒を液状冷媒と蒸気状冷媒とに分離する気液分離装置を設け、  
前記液状冷媒は前記第２冷媒分岐部に流入し、
前記蒸気冷媒は前記第３冷媒分岐部に流入することを特徴とする請求項３に記載の空気調和装置。
【請求項５】
前記利用側冷媒回路には、
前記利用側冷媒の流量を制御する第４冷媒流量制御装置が設けられていることを特徴とする請求項１〜請求項４のいずれか一項に記載の空気調和装置。
【請求項６】
前記第４冷媒流量制御装置は、
前記室内熱交換器に流入する前記利用側冷媒の温度、及び前記室内熱交換器から流出する前記利用側冷媒の温度に基づいて、前記利用側冷媒の流量を制御することを特徴とする請求項５に記載の空気調和装置。
【請求項７】
前記第４冷媒流量制御装置は、前記中継部に設けられていることを特徴とする請求項５又は請求項６に記載の空気調和装置。
【請求項８】
前記中継部と前記室内ユニットとは、
前記循環装置と前記室内熱交換器とを接続する配管、及び前記室内熱交換器と前記中間熱交換器とを接続する連結装置によって分離可能となっていることを特徴とする請求項１〜請求項７のいずれか一項に記載の空気調和装置。
【請求項９】
前記熱源側冷媒は、自然冷媒又は地球温暖化係数がフロン冷媒よりも小さい冷媒であることを特徴とする請求項１〜請求項８のいずれか一項に記載の空気調和装置。
【請求項１０】
前記中間熱交換器において、
前記熱源側冷媒は、超臨界状態で凝縮することなく、前記第２冷媒を加熱することを特徴とする請求項１〜請求項９のいずれか一項に記載の空気調和装置。
【請求項１１】
前記利用側冷媒に水及び不凍液の少なくとも一方が用いられた前記室内ユニットはビルの各階に設けられた居住空間に設置され、前記室外ユニット及び前記中継部は前記居住空間の外に設置されることを特徴とする請求項１〜請求項１０のいずれか一項に記載の空気調和装置。
【請求項１２】
前記中継部は、前記ビルの各階に設けられた共用空間に設置されることを特徴とする請求項１１に記載の空気調和装置。
【請求項１３】
前記複数の室内熱交換器と前記複数の中間熱交換器との間に設けられ、前記複数の室内熱交換器の少なくともいずれかが接続される中間熱交換器を切り替える利用側冷媒流路切替部を有することを特徴とする請求項１に記載の空気調和装置。
【請求項１４】
圧縮機の一端に一端が接続される室外熱交換器、前記圧縮機の他端に接続される第１冷媒分岐部、前記室外熱交換器の他端と分岐配管を介して接続された第２冷媒分岐部及び第３冷媒分岐部、前記第２冷媒分岐部の中を流れる熱源側冷媒の流量を制御する第１冷媒流量制御装置、一方が第１冷媒流路切替装置を介して前記第１冷媒分岐部及び前記第３冷媒分岐部に接続され、他方が前記第２冷媒分岐部に接続された複数の中間熱交換器、並びに該中間熱交換器のそれぞれと前記第２冷媒分岐部との間を流れる前記熱源側冷媒の流量を制御する複数の第２冷媒流量制御装置を有する熱源側冷媒回路と、
前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された室内熱交換器を有する複数の利用側冷媒回路と、
複数の室内熱交換器、及び前記複数の室内熱交換器のそれぞれに対応して前記室内熱交換器の一端が接続される第１切替弁及び前記室内熱交換器の他端が接続される第２切替弁を有し、前記中間熱交換器の前記熱源側冷媒回路との間で熱交換を行う利用側回路の一端が分岐されて前記複数の第１切替弁に接続され、他端が分岐され前記複数の第２切替弁に接続された利用側冷媒回路と、
を備え、
前記圧縮機及び前記室外熱交換器は室外ユニットに設けられ、
前記第１冷媒分岐部、前記分岐配管、前記第２冷媒分岐部、前記第３冷媒分岐部、前記第１冷媒流量制御装置、前記中間熱交換器、前記第１冷媒流路切替装置、前記第２冷媒流量制御装置、及び前記循環装置は中継部に設けられ、
前記室内熱交換器は室内ユニットに設けられ、
前記利用側冷媒回路には、利用側冷媒として水及び不凍液の少なくとも一方が循環することを特徴とする空気調和装置。
【請求項１５】
前記第１冷媒流量制御装置と前記第２冷媒分岐部との間に設けられる熱交換器と、
前記熱交換器と前記第２冷媒分岐部との間に一端が接続され、前記熱交換器を介して前記第１冷媒分岐部に他端が接続される第１バイパス配管と、
前記第１バイパス配管の前記熱交換器と前記第２冷媒分岐部との間に設けられる第３冷媒流量制御装置とを備えたことを特徴とする請求項１３又は１４に記載の空気調和装置。
【請求項１６】
前記第１冷媒流量制御装置と前記熱交換器との間に一端が接続される第２バイパス配管と、
前記第２バイパス配管の他端が接続される第４冷媒分岐部とを備え、
前記第４冷媒分岐部と前記第２冷媒分岐部は第２冷媒流路切替部を介して第２冷媒流量制御装置と接続されていることを特徴とする請求項１３又は１４に記載の空気調和装置。
【請求項１７】
前記熱源側冷媒は、空間中に漏洩する冷媒の許容濃度が国際規格で決められた冷媒であり、前記利用側冷媒に水及び不凍液の少なくとも一方が用いられ、前記室内ユニットは居住空間に設置され、前記室外ユニット及び前記中継部は前記居住空間の外に設置され、前記中継部と各室内熱交換器は２本の配管で接続され、冷暖同時運転が可能である多室形の請求項１〜１６のいずれか一項に記載の空気調和装置。
【国際調査報告】
2009133640.tif 000041
2009133640.tif 000042
2009133640.tif 000043
2009133640.tif 000044